(57)【要約】【課題】ＰＤＣＣＨの検出に応じてＨＡＲＱ−ＡＣＫ信号を送信する。【解決手段】ユーザ端末（ＵＥ）が、物理アップリンク制御チャネル（ＰＵＣＣＨ）のリソースでハイブリッド自動反復要求肯定応答（ＨＡＲＱ−ＡＣＫ）信号を送信し、基地局がＰＵＣＣＨのリソースでＨＡＲＱ−ＡＣＫ信号を受信する方法及び装置が記載されている。前記ＨＡＲＱ−ＡＣＫ信号は、前記基地局から送信され、前記ＰＤＣＣＨタイプに応じて、ＨＡＲＱ−ＡＣＫ  ＰＵＣＣＨリソースオフセット（ＨＰＲＯ）情報フィールドを含むことができるＤＣＩフォーマットを伝達するＰＤＣＣＨの検出に応じて、ＵＥから送信される。前記ＵＥ及びＮｏｄｅＢは、前記ＰＤＣＣＨタイプに応じて、前記ＰＵＣＣＨリソースを決定し、また前記ＤＣＩフォーマットが前記ＨＰＲＯを含む場合、ＰＤＣＣＨ送信タイプに応じて、前記ＰＵＣＣＨリソースを決定する。【選択図】図９
2018019440.tif 000002
【特許請求の範囲】
【請求項１】
無線通信方法であって、
リソース開始オフセット及び拡張物理ダウンリンク制御チャネル（ＥＰＤＣＣＨ）の伝送タイプに対する情報を含む設定情報を受信するステップと、
少なくとも一つの制御チャネルエレメント（ＣＣＥ）を使用する前記ＥＰＤＣＣＨを通して、基地局の少なくとも一つのアンテナポートを使用して送信されるダウンリンク制御情報（ＤＣＩ）を受信するステップと、
前記ＥＰＤＣＣＨの前記伝送タイプが分散された（distributed）伝送である場合、前記少なくとも一つのＣＣＥのうちの最初のＣＣＥと、前記ＤＣＩ内の情報と、前記設定情報内の前記リソース開始オフセットに基づいて物理アップリンク制御チャネル（ＰＵＣＣＨ）のリソースを決定するステップと、
前記決定されたリソースを通してハイブリッド自動反復要求肯定応答（ＨＡＲＱ−ＡＣＫ）信号を前記基地局に伝送するステップを含むことを特徴とする方法。
【請求項２】
前記ＤＣＩ内の情報は、前記ＰＵＣＣＨのリソースを決定するために使用される２ビットのリソースオフセットであることを特徴とする請求項１に記載の方法。
【請求項３】
前記ＥＰＤＣＣＨの前記伝送タイプが分散された伝送である場合、前記ＰＵＣＣＨのリソースのインデックスは、前記最初のＣＣＥから決定される第１のパラメータと、前記ＤＣＩから決定される第２のパラメータと、前記リソース開始オフセットによって設定される第３のパラメータとの和として決定されることを特徴とする請求項１に記載の方法。
【請求項４】
前記ＥＰＤＣＣＨの伝送タイプが局所的（localized）伝送である場合、前記少なくとも一つのＣＣＥのうちの前記最初のＣＣＥと、前記少なくとも一つのアンテナポートと、前記ＤＣＩ内の情報と、前記設定情報内の前記リソース開始オフセットに基づいて前記ＰＵＣＣＨのリソースを決定するステップをさらに含むことを特徴とする請求項１に記載の方法。
【請求項５】
前記ＤＣＩ内の情報は、前記ＰＵＣＣＨのリソースを決定するために使用される２ビットのリソースオフセットであることを特徴とする請求項４に記載の方法。
【請求項６】
前記ＥＤＰＣＣＨの前記伝送タイプが局所的伝送である場合、前記ＰＵＣＣＨのリソースのインデックスは、前記最初のＣＣＥから決定される第１のパラメータと、前記少なくとも一つのアンテナポートから決定される第２のパラメータと、前記ＤＣＩから決定される第３のパラメータと、前記リソース開始オフセットによって設定される第４のパラメータとの和として決定されることを特徴とする請求項１に記載の方法。
【請求項７】
無線通信のためのユーザ端末（ＵＥ）の装置であって、
リソース開始オフセット及び拡張物理ダウンリンク制御チャネル（ＥＰＤＣＣＨ）の伝送タイプに対する情報を含む設定情報を受信し、少なくとも一つの制御チャネルエレメント（ＣＣＥ）を使用する前記ＥＰＤＣＣＨを通して、基地局の少なくとも一つのアンテナポートを使用して送信されるダウンリンク制御情報（ＤＣＩ）を受信する受信機と、
前記ＥＰＤＣＣＨの前記伝送タイプが分散された(distributed)伝送である場合、前記少なくとも一つのＣＣＥのうちの最初のＣＣＥと、前記ＤＣＩ内の情報と、前記設定情報内の前記リソース開始オフセットに基づいて物理アップリンク制御チャネル（ＰＵＣＣＨ）のリソースを決定するプロセッサと、
前記決定されたリソースを通してハイブリッド自動反復要求肯定応答（ＨＡＲＱ−ＡＣＫ）信号を前記基地局に伝送する送信機を含むことを特徴とする装置。
【請求項８】
前記ＤＣＩは、前記ＰＵＣＣＨのリソースを決定するために使用される２ビットのリソースオフセットを含むことを特徴とする請求項７に記載の装置。
【請求項９】
前記ＥＰＤＣＣＨの前記伝送タイプが分散された伝送である場合、前記ＰＵＣＣＨのリソースのインデックスは、前記最初のＣＣＥから決定される第１のパラメータと、前記ＤＣＩから決定される第２のパラメータと、前記リソース開始オフセットによって設定される第３のパラメータとの和として決定されることを特徴とする請求項８に記載の装置。
【請求項１０】
前記プロセッサは、前記ＥＰＤＣＣＨの伝送タイプが局所的(localized)伝送である場合、前記少なくとも一つのＣＣＥのうちの前記最初のＣＣＥと、前記少なくとも一つのアンテナポートと、前記ＤＣＩ内の情報と、前記設定情報内の前記リソース開始オフセットに基づいて前記ＰＵＣＣＨのリソースを決定することを特徴とする請求項７に記載の装置。
【請求項１１】
前記ＤＣＩ内の情報は前記ＰＵＣＣＨのリソースを決定するために使用される２ビットのリソースオフセットであることを特徴とする請求項１０に記載の装置。
【請求項１２】
前記ＥＤＰＣＣＨの前記伝送タイプが局所的伝送である場合、前記ＰＵＣＣＨのリソースのインデックスは、前記最初のＣＣＥから決定される第１のパラメータと、前記少なくとも一つのアンテナポートから決定される第２のパラメータと、前記ＤＣＩから決定される第３のパラメータと、前記リソース開始オフセットによって設定される第４のパラメータとの和として決定されることを特徴とする請求項７に記載の装置。
【請求項１３】
無線通信方法であって、
リソース開始オフセット及び拡張物理ダウンリンク制御チャネル（ＥＰＤＣＣＨ）の伝送タイプに対する情報を含む設定情報を送信するステップと、
少なくとも一つの制御チャネルエレメント（ＣＣＥ）を使用する前記ＥＰＤＣＣＨを通して、基地局の少なくとも一つのアンテナポートを使用してダウンリンク制御情報（ＤＣＩ）をユーザ端末（ＵＥ）に送信するステップと、
前記ＥＰＤＣＣＨの前記伝送タイプが分散された(distributed)伝送である場合、前記少なくとも一つのＣＣＥのうちの最初のＣＣＥと、前記ＤＣＩ内の情報と、前記設定情報内の前記リソース開始オフセットに基づいて物理アップリンク制御チャネル（ＰＵＣＣＨ）のリソースを決定するステップと、
前記決定されたリソースを通してハイブリッド自動反復要求肯定応答（ＨＡＲＱ−ＡＣＫ）信号を前記ＵＥから受信するステップを含むことを特徴とする方法。
【請求項１４】
前記ＤＣＩ内の情報は、前記ＰＵＣＣＨのリソースを決定するために使用される２ビットのリソースオフセットであることを特徴とする請求項１３に記載の方法。
【請求項１５】
前記ＥＰＤＣＣＨの前記伝送タイプが分散された伝送である場合、前記ＰＵＣＣＨのリソースのインデックスは、前記最初のＣＣＥから決定される第１のパラメータと、前記ＤＣＩから決定される第２のパラメータと、前記リソース開始オフセットによって設定される第３のパラメータとの和として決定されることを特徴とする請求項１３に記載の方法。
【請求項１６】
前記ＥＰＤＣＣＨの伝送タイプが局所的(localized)伝送である場合、前記少なくとも一つのＣＣＥのうちの前記最初のＣＣＥと、前記少なくとも一つのアンテナポートと、前記ＤＣＩ内の情報と、前記設定情報内の前記リソース開始オフセットに基づいて前記ＰＵＣＣＨのリソースを決定するステップをさらに含むことを特徴とする請求項１３に記載の方法。
【請求項１７】
前記ＤＣＩ内の情報は前記ＰＵＣＣＨのリソースを決定するために使用される２ビットのリソースオフセットであることを特徴とする請求項１６に記載の方法。
【請求項１８】
前記ＥＤＰＣＣＨの前記伝送タイプが局所的伝送である場合、前記ＰＵＣＣＨのリソースのインデックスは、前記最初のＣＣＥから決定される第１のパラメータと、前記少なくとも一つのアンテナポートから決定される第２のパラメータと、前記ＤＣＩから決定される第３のパラメータと、前記リソース開始オフセットによって設定される第４のパラメータとの和として決定されることを特徴とする請求項１３に記載の方法。
【請求項１９】
無線通信のための基地局の装置であって、
リソース開始オフセット及び拡張物理ダウンリンク制御チャネル（ＥＰＤＣＣＨ）の伝送タイプに対する情報を含む設定情報を送信し、少なくとも一つの制御チャネルエレメント（ＣＣＥ）を使用する前記ＥＰＤＣＣＨを通して、基地局の少なくとも一つのアンテナポートを使用してダウンリンク制御情報（ＤＣＩ）をユーザ端末（ＵＥ）に送信する送信機と、
前記ＥＰＤＣＣＨの前記伝送タイプが分散された(distributed)伝送である場合、前記少なくとも一つのＣＣＥのうちの最初のＣＣＥと、前記ＤＣＩ内の情報と、前記設定情報内の前記リソース開始オフセットに基づいて物理アップリンク制御チャネル（ＰＵＣＣＨ）のリソースを決定するプロセッサと、
前記決定されたリソースを通してハイブリッド自動反復要求肯定応答（ＨＡＲＱ−ＡＣＫ）信号を前記ＵＥから受信する受信機とを含むことを特徴とする装置。
【請求項２０】
前記ＤＣＩ内の情報は、前記ＰＵＣＣＨのリソースを決定するために使用される２ビットのリソースオフセットであることを特徴とする請求項１９に記載の装置。
【請求項２１】
前記ＥＰＤＣＣＨの前記伝送タイプが分散された伝送である場合、前記ＰＵＣＣＨのリソースのインデックスは、前記最初のＣＣＥから決定される第１のパラメータと、前記ＤＣＩから決定される第２のパラメータと、前記リソース開始オフセットによって設定される第３のパラメータとの和として決定されることを特徴とする請求項１９に記載の装置。
【請求項２２】
前記ＥＰＤＣＣＨの伝送タイプが局所的(localized)伝送である場合、前記プロセッサは、前記少なくとも一つのＣＣＥのうちの前記最初のＣＣＥと、前記少なくとも一つのアンテナポートと、前記ＤＣＩ内の情報と、前記設定情報内の前記リソース開始オフセットに基づいて前記ＰＵＣＣＨのリソースを決定することを特徴とする請求項１９に記載の装置。
【請求項２３】
前記ＤＣＩ内の情報は前記ＰＵＣＣＨのリソースを決定するために使用される２ビットのリソースオフセットであることを特徴とする請求項２２に記載の装置。
【請求項２４】
前記ＥＤＰＣＣＨの前記伝送タイプが局所的伝送である場合、前記ＰＵＣＣＨのリソースのインデックスは、前記最初のＣＣＥから決定される第１のパラメータと、前記少なくとも一つのアンテナポートから決定される第２のパラメータと、前記ＤＣＩから決定される第３のパラメータと、前記リソース開始オフセットによって設定される第４のパラメータとの和として決定されることを特徴とする請求項１９に記載の装置。
【発明の詳細な説明】
【技術分野】
【０００１】
本発明は、無線通信システムに関し、より詳しくは、肯定応答（ACKnowledgements:ＡＣＫ）信号の送信及び受信に関する。
【背景技術】
【０００２】
通信システムは、例えば、基地局（Base Station:ＢＳ）、又はＮｏｄｅＢのような送信ポイント（point）からの送信信号を、ユーザ端末（User Equipment:UE）に伝達するダウンリンク（DownLink:ＤＬ）を含む。前記通信システムは、また、ＵＥから、例えば、ＢＳ又はＮｏｄｅＢのような受信ポイントに送信信号を伝達するアップリンク（UpLink:ＵＬ）を含む。さらに、一般に端末又は移動局とも呼ばれるＵＥは、固定的であっても、又は移動的であってもよく、携帯電話と、パーソナルコンピュータデバイス（personal computer device）などとして実現されてもよい。ＮｏｄｅＢは、一般に、固定局であり、またアクセスポイント（access point）又はこれに同等の他の用語と称されてもよい。
【０００３】
ＤＬ信号は、情報コンテンツを運搬するデータ信号と、ＤＬ制御情報（DL  Control Information:ＤＣＩ）を運搬する制御信号と、パイロット信号（pilot signal）とも知られている基準信号（Reference Signal:ＲＳ）とからなっている。ＮｏｄｅＢは、データ情報又はＤＣＩを、それぞれ物理ＤＬ共有チャネル（Physical DL  Shared Channel:ＰＤＳＣＨ）又は物理ＤＬ制御チャネル（Physical DL  Control Channel:ＰＤＣＣＨ）を介して送信する。
【０００４】
さらに、ＵＬ信号は、データ信号、制御信号及びＲＳからなっている。ＵＥは、データ情報又はＵＬ制御情報（UL  Control Information:ＵＣＩ）を、それぞれ物理アップリンク共有チャネル（Physical Uplink Shared Channel:ＰＵＳＣＨ）又は物理アップリンク制御チャネル（Physical Uplink Control Channel:ＰＵＣＣＨ）を介してＮｏｄｅＢに送信する。
【０００５】
ＮｏｄｅＢは、ＵＥ−共通ＲＳ（Common RS:ＣＲＳ）と、チャネル状態情報ＲＳ（Channel State Information RS:ＣＳＩ−ＲＳ）と、復調ＲＳ（DeModulation RS:ＤＭＲＳ）とを含む多重タイプのＲＳのうちの一つ以上を送信する。ＣＲＳは、実質的に全ＤＬシステムの帯域幅（BandWidth:ＢＷ）を介して送信され、データ又は制御信号を復調するために、又は測定を行うために、全てのＵＥにより用いられることができる。ＵＥは、ＣＲＳが前記ＮｏｄｅＢから送信される放送チャネルを介して送信されるＮｏｄｅＢアンテナポート（antenna port）の個数を決めることができる。ＣＲＳと関連付けのオーバーヘッド（overhead）を減少するために、ＮｏｄｅＢは、ＵＥが測定を行うようにＣＲＳの時間及び／又は周波数ドメインにおける密度より小さい前記時間及び/又は周波数ドメインにおける密度を用いて、ＣＳＩ−ＲＳを送信してもよい。ＵＥは、前記ＮｏｄｅＢからの上位階層シグナリング（higher layer signaling）を介して、ＣＳＩ−ＲＳ送信パラメータを決定することができる。ＤＭＲＳは、各ＰＤＳＣＨのＢＷでのみ送信され、ＵＥは、該ＰＤＳＣＨに含まれている情報を復調するために、前記ＤＭＲＳを用いることができる。
【０００６】
ＵＥへのＰＤＳＣＨ送信、又はＵＥからのＰＵＳＣＨ送信は、動的スケジューリング（dynamic scheduling）又は準固定スケジューリング（Semi-Persistent Scheduling:ＳＰＳ）に応じて存在してもよい。動的スケジューリングにおいて、ＮｏｄｅＢは、各ＰＤＣＣＨを介して、ＤＣＩフォーマットをＵＥに伝達する。ＤＣＩフォーマットのコンテンツ、及び結果的に、そのサイズは、ＵＥが各ＰＤＳＣＨ受信、又はＰＵＳＣＨ送信のために設定される送信モード（Transmission Mode:ＴＭ）に基づいている。ＳＰＳにおいて、ＰＤＳＣＨ送信又はＰＵＳＣＨ送信は、例えば、無線リソース制御（Radio Resource Control:ＲＲＣ）シグナリングのような上位階層シグナリングを介して、ＮｏｄｅＢによりＵＥに構成される。前記送信は、前記上位階層シグナリングにより知られているように、予め定められた時間インスタント（time instance）で、予め定められたパラメータを用いて起こる。
【０００７】
図１は、ＤＬ送信時間間隔（Transmission Time Interval:ＴＴＩ）の構造を示しているダイアグラムである。
【０００８】
図１を参照すると、ＤＬ  ＴＴＩは、データ情報、ＤＣＩ、又はＲＳを送信するための２個のスロット（slot）１２０と、
【０００９】
【数１】
2018019440.tif 000003
【００１０】
とを含む１個のサブフレーム１１０を含む。直交周波数分割多重化（Orthogonal Frequency Division Multiplexing:ＯＦＤＭ）は、ＤＬ信号送信のために仮定され、ＯＦＤＭシンボルは、サイクリックプレフィックス（Cyclic Prefix:ＣＰ）を含む。
【００１１】
【数２】
2018019440.tif 000004
【００１２】
送信ＢＷは、リソースブロック（Resource Block:ＲＢ）と称される周波数リソースユニット（frequency resource unit）から構成される。各ＲＢは、
【００１３】
【数３】
2018019440.tif 000005
【００１４】
又はリソースエレメント（Resource Element:ＲＥ）を含む。前記周波数ドメインにおける１個のＲＢ、及び時間ドメインにおける１個のサブフレームのユニットが、物理リソースブロック（Physical Resource Block:ＰＲＢ）と称される。
【００１５】
【数４】
2018019440.tif 000006
【００１６】
一部のシンボルにおいて、一部のＲＥは、ＵＥにおける情報信号のチャネル推定及びコヒーレント（coherent）復調を有効にするＣＲＳ（又はＤＭＲＳ）を含む（１５０）。
【００１７】
追加の制御チャネルが、ＤＬ制御領域に送信されてもよい。例えば、ＰＵＳＣＨにおけるデータ送信のためのハイブリッド自動反復要求（Hybrid Automatic Repeat reQuest:ＨＡＲＱ）プロセスを用いると仮定する場合、ＮｏｄｅＢは、物理ハイブリッド−ＨＡＲＱインディケータチャネル（Physical Hybrid-HARQ Indicator Channel:ＰＨＩＣＨ）でＨＡＲＱ−ＡＣＫ情報を送信して、ＵＥに該ＵＥのＰＵＳＣＨにおける各データトランスポートブロック（Transport Block:ＴＢ）の先送信が正確に検出されたか（即ち、ＡＣＫを介して）、又は不正確に検出されたか（即ち、否定応答（Negative ACK:ＮＡＣＫ）を介して）を指示してもよい。
【００１８】
図２は、ＮｏｄｅＢ送信機におけるＤＣＩフォーマットのエンコーディング（encoding）プロセスを示すダイアグラムである。
【００１９】
図２を参照すると、ＮｏｄｅＢは、各ＰＤＣＣＨにおいて各ＤＣＩフォーマットを別々にコード化し、送信する。ＤＣＩフォーマットが目的とするＵＥのセル無線ネットワーク臨時識別子（Cell Radio Network Temporary Identifier:Ｃ−ＲＮＴＩ）、又はＳＰＳ無線ネットワーク臨時識別子（SPS Radio Network Temporary Identifier:ＳＰＳ−ＲＮＴＩ）は、特定のＤＣＩフォーマットが前記ＵＥを目的とすることを、前記ＵＥが識別できるように、ＤＣＩフォーマットコードワード（codeword）の巡回冗長検査（a Cyclic Redundancy Check:ＣＲＣ）をマスク（mask）する。その他にも、ＤＣＩ−タイプＲＮＴＩは、ＤＣＩフォーマットがＵＥ−共通情報を提供する場合、ＣＲＣをマスクしてもよい。ＣＲＣ演算ユニット２２０は、（非コード化）ＤＣＩフォーマットビット２１０のＣＲＣを演算する。そして、前記ＣＲＣは、該ＣＲＣと、各ＲＮＴＩビットとの間の排他的ＯＲ（exclusive OR:ＸＯＲ）動作２３０を用いてマスクされる（２４０）。前記ＸＯＲ動作２３０は、ＸＯＲ（０、０）＝０、ＸＯＲ（０、１）＝１、ＸＯＲ（１、０）＝１、ＸＯＲ（１、１）＝０として定義される。例えば、ＣＲＣ及びＲＮＴＩの両方は、１６ビットからなる。前記マスクされたＣＲＣビットは、ＣＲＣ付加ユニット２５０で、ＣＲＣ付加の動作を用いてＤＣＩフォーマット情報ビットに追加される。チャネルコーディングは、チャネルコーディングユニット２６０（例えば、畳み込みコード（convolutional code）を使用）でチャネルコーディング動作を用いて行われる。レートマッチング動作は、レートマッチングユニット２７０で割り当てられたリソースに対して行われる。インターリービング（interleaving）及び変調は、制御信号２９０の送信のためのインターリービング及び変調ユニット２８０で実施される。
【００２０】
図３は、ＵＥ受信機におけるＤＣＩフォーマットのデコーディング（decoding）プロセスを示すダイアグラムである。
【００２１】
図３を参照すると、ＵＥ受信機は、受信された制御信号３１０を復調し、得られるビットは、復調及びデインターリービング（de-interleaving）ユニット３２０においてデインターリーブされる。ＮｏｄｅＢ送信機で適用されたレートマッチングが、レートマッチングユニット３３０を介して回復される。データは、続いてチャネルデコーダー（channel decoder）３４０でデコードされる。データをデコードした後、ＤＣＩフォーマット情報ビット３６０は、ＣＲＣ抽出ユニット３５０でＣＲＣビットを抽出することにより獲得される。前記ＣＲＣビットは、各ＵＥ ＲＮＴＩマスク３８０を用いて、ＸＯＲ動作３７０を適用することによりデマスク（de-mask）される。ＵＥは、ＣＲＣテストユニット３９０でＣＲＣテストを行う。前記ＣＲＣテストをパスする場合、ＵＥは、前記ＤＣＩフォーマットが有効であるとみなし、信号受信又は信号送信のためのパラメータを決定する。前記ＣＲＣテストがパスされない場合、ＵＥは、推定されたＤＣＩフォーマットを無視する。
【００２２】
他のＵＥへのＰＤＣＣＨ送信を遮断するＵＥへのＰＤＣＣＨ送信を避けるために、ＤＬ制御領域の時間−周波数ドメインにおいて、各ＰＤＣＣＨの位置は固有ではない。従って、ＵＥは、ＤＬサブフレームにおいて、前記ＵＥ向けのＰＤＣＣＨがあるか否かを決定するために複数のデコーディング動作を行う必要がある。ＰＤＣＣＨを伝達するＲＥは、前記論理ドメイン（logical domain）において、制御チャネルエレメント（Control Channel Element:ＣＣＥ）にグループ化される。図２において、一定数のＤＣＩフォーマットビットの場合、各ＰＤＣＣＨに対するＣＣＥの個数は、チャネルコーディングレート（channel coding rate）に基づいている（直交位相シフトキーイング（Quadrature Phase Shift Keying:ＱＰＳＫ）は、前記変調方式として仮定される）。ＮｏｄｅＢは、高いＤＬ信号対干渉及び雑音比（Signal-to-Interference and Noise Ratio:ＳＩＮＲ）を経験するＵＥより低いＤＬ  ＳＩＮＲを経験するＵＥへＰＤＣＣＨを送信するために、より低いチャネルコーディングレート（即ち、より多くのＣＣＥ）を用いてもよい。ＣＣＥアグリゲーションレベルは、例えば
【００２３】
【数５】
2018019440.tif 000007
【００２４】
を含んでもよい。
【００２５】
ＰＤＣＣＨデコーディングプロセスにつき、ＵＥは、全てのＵＥに対するＣＣＥの共通集合（即ち、共通探索空間（Common Search Space:ＣＳＳ））によって、かつＣＣＥのＵＥ−専用集合（即ち、ＵＥ−専用探索空間（ＵＥ-Dedicated Search Space: ＵＥ−ＤＳＳ））によって、前記論理ドメインにおいて前記ＣＣＥを復元した後、候補ＰＤＣＣＨの探索空間を決定してもよい。ＣＳＳは、前記論理ドメインにおいて第１のＣ個のＣＣＥを含んでもよい。ＵＥ−ＤＳＳは、例えば、前記サブフレーム番号、又は前記サブフレームにおけるＣＣＥの総個数、及び前記ＲＮＴＩのようなＵＥ−特定のパラメータのような、インプットとしてＵＥ−共通パラメータを有する擬似ランダム（pseudo-random）関数によって決められてもよい。例えば、
【００２６】
【数６】
2018019440.tif 000008
【００２７】
について、ＰＤＣＣＨ候補ｍに相応するＣＣＥが、数式１により提供される。
【００２８】
【数７】
2018019440.tif 000009
【００２９】
複数のＵＥに情報を伝達するＤＣＩフォーマットは、ＣＳＳで送信される。加えて、複数のＵＥに情報を伝達するＤＣＩフォーマットの送信の後にも、十分なＣＣＥが残っている場合、ＣＳＳは、またＤＬ  ＳＡ又はＵＬ  ＳＡについての一部のＵＥ−特定のＤＣＩフォーマットを伝達してもよい。ＵＥ-ＤＳＳは、専らＤＬ  ＳＡ又はＵＬ  ＳＡについてのＵＥ−特定のＤＣＩフォーマットを伝達する。例えば、ＵＥ−ＣＳＳは、１６個のＣＣＥを含んでもよく、Ｌ＝８個のＣＣＥを有する２個のＤＣＩフォーマット、又はＬ＝４個のＣＣＥを有する４個のＤＣＩフォーマット、又はＬ＝８個のＣＣＥを有する１個のＤＣＩフォーマット及びＬ＝４個のＣＣＥを有する２個のＤＣＩフォーマットを支援してもよい。ＣＳＳについての前記ＣＣＥは、まず前記論理ドメイン（インターリービングの前）に配置される。
【００３０】
図４は、各ＰＤＣＣＨにおけるＤＣＩフォーマットの送信プロセスを示すダイアグラムである。
【００３１】
図４を参照すると、エンコードされたＤＣＩフォーマットビットは、前記論理ドメインにおいてＰＤＣＣＨ  ＣＣＥにマッピングされる。第１の４個のＣＣＥ（Ｌ＝４）、ＣＣＥ１  ４０１と、ＣＣＥ２  ４０２と、ＣＣＥ３  ４０３と、ＣＣＥ４  ４０４とが、ＵＥ１にＰＤＣＣＨを送信するために用いられる。次の２個のＣＣＥ（Ｌ＝２）、ＣＣＥ５  ４１１、及びＣＣＥ６  ４１２は、ＵＥ２にＰＤＣＣＨを送信するために用いられる。その次のＣＣＥ（Ｌ＝２）、ＣＣＥ７  ４２１、及びＣＣＥ８  ４２２は、ＵＥ３にＰＤＣＣＨを送信するために用いられる。最終的に、最後のＣＣＥ（Ｌ＝１）、ＣＣＥ９  ４３１が、ＵＥ４にＰＤＣＣＨを送信するために用いられる。前記ＤＣＩフォーマットビットは、ステップ４４０において、二進スクランブリングコード（binary scrambling code）を用いて、スクランブルされてもよく、順次に、ステップ４５０で変調される。さらに、各ＣＣＥは、リソースエレメントグループ（Resource Element Group:ＲＥＧ）に分割される。例えば、３６個のＲＥから構成されるＣＣＥは、それぞれが４個のＲＥからなる９個のＲＥＧに区分けられる。ステップ４６０において、インターリービングがＲＥＧ（４個のＱＰＳＫシンボルのブロック）の間に適用される。例えば、ブロックインターリーバ（block interleaver）が用いられてもよい。結果として生じる一連のＱＰＳＫシンボルは、ステップ４７０において、Ｊ個のシンボルによりシフト（shift）されてもよい。ステップ４８０において、各ＱＰＳＫシンボルは、前記ＤＬサブフレームの制御領域でＲＥにマッピングされる。したがって、ＣＲＳ４９１及びＣＲＳ４９２と、ＰＣＦＩＣＨ４９３及び該ＰＨＩＣＨのような他の制御チャネルの他に、ＰＤＣＣＨに含まれているＲＥは、ＵＥ1 ４９４、ＵＥ２ ４９５、ＵＥ３ ４９６、及びＵＥ４ ４９７についてのＤＣＩフォーマットに相応するＱＰＳＫシンボルを含む。
【００３２】
ＵＥは、ＰＤＳＣＨと関連付けのＰＤＣＣＨの検出に応じて、ＰＵＣＣＨでＨＡＲＱ−ＡＣＫ信号を送信してもよく、数式２に示されているように、各ＰＤＣＣＨの第１の
【００３３】
【数８】
2018019440.tif 000010
【００３４】
から、各ＰＵＣＣＨリソースnPUCCHを非明示的に（implicitly）導き出してもよい。
【００３５】
【数９】
2018019440.tif 000011
【００３６】
【数１０】
2018019440.tif 000012
【００３７】
図５は、ＺＣシーケンスのＵＥ送信機を示すブロック図である。
【００３８】
図５を参照すると、サブキャリアマッピングユニット（sub-carrier mapping unit）５２０は、ＺＣシーケンスユニット５１０からのＺＣシーケンスをＲＥ選択ユニット５２５により指示される割当送信ＢＷのＲＥにマッピングされる。順次に、ＩＦＦＴが、ＩＦＦＴユニット５３０により行われ、ＣＳがスクランブリングユニット（scrambling unit）５５０を用いて、セル−特定のシーケンス（cell-specific sequence）でスクランブルされた後の、ＣＳユニット５４０による出力に適用される。ＣＰは、ＣＰ挿入ユニット５６０により挿入され、その結果として生じる信号は、時間ウィンドウユニット（time windowing unit）５７０によりフィルターされる。前記送信電力PPUCCHは、電力増幅器５８０により適用され、ＺＣシーケンスが送信される（５９０）。変調のない場合、ＺＣシーケンスは、ＲＳとしての機能をする。変調のある場合、ＺＣシーケンスはＨＡＲＱ−ＡＣＫ信号としての機能をする。
【００３９】
図１において、前記ＤＬ制御領域は、
【００４０】
【数１１】
2018019440.tif 000013
【００４１】
を用い、主に全体のＤＬ  ＢＷを介して制御信号を送信する。このような構成は、ＰＤＣＣＨ容量を制限し、異なるＮｏｄｅＢからのＰＤＣＣＨ送信のうち、前記周波数ドメインにおいて干渉協力（interference coordination）を達成することができない。前記周波数ドメインにおいて拡張されたＰＤＣＣＨ容量又はＰＤＣＣＨ干渉協力が制御信号の送信のために求められる幾つかの場合がある。そのような一つの場合は、複数のＰＤＣＣＨが、複数のＵＥに同一のＰＤＳＣＨリソースをスケジュールし、拡張されたＰＤＣＣＨ容量が求められるＰＤＳＣＨ送信についての空間多重化（spatial multiplexing）の使用である。他の場合は、第１のセルにおけるＤＬ送信が、第２のセルにおけるＤＬ送信から強力な干渉を経験し、前記周波数ドメインにおいて、前記二つのセル間の干渉協力が求められる異種ネットワーク（heterogeneous network）についてのものである。
【００４２】
最大ＤＬ制御領域のサイズを、
【００４３】
【数１２】
2018019440.tif 000014
【００４４】
より大きく直接拡張することは、少なくともレガシー（legacy）ＵＥを支援するための要求事項により不可能であり、前記レガシーＵＥは、そのような拡張が認識できない。他の方式は、個別的なＰＲＢを用いることにより、従来のＰＤＳＣＨ領域において、ＤＬ制御シグナリングを支援することである。前記従来のＰＤＳＣＨ領域のＰＲＢで送信されたＰＤＣＣＨは、拡張ＰＤＣＣＨ（Enhanced ＰＤＣＣＨ:ＥＰＤＣＣＨ）と称される。
【００４５】
図６は、ＤＬサブフレームにおけるＥＰＤＣＣＨ送信を示すダイアグラムである。
【００４６】
図６を参照すると、ＥＰＤＣＣＨ送信が従来のＤＬ制御チャネル６１０の直後に開始され、残りの全ＤＬサブフレームシンボルを介して送信されるとしても、ＥＰＤＣＣＨ送信は、予め定められたサブフレームシンボルで代わりに始まってもよく、残りのＤＬサブフレームシンボルの一部に拡張されてもよい。ＥＰＤＣＣＨ送信は、４個のＰＲＢ６２０、６３０、６４０、６５０で起こってもよく、その反面、残りのＰＲＢ６６０、６６２、６６４、６６６、６６８は、ＰＤＳＣＨ送信について用いられてもよい。一定数のサブフレームシンボルを通じたＥＰＤＣＣＨ送信は、ＰＲＢで有用なサブフレームシンボルの個数より少ない個数のＲＥを必要とするため、複数のＥＰＤＣＣＨは、同一のＰＲＢで多重化され得る。この多重化は、可能なドメイン（即ち、時間ドメイン、周波数ドメイン、又は空間ドメイン）のうちのいずれの組み合わせにおいて存在することができ、さらにＰＤＣＣＨと類似の方式で、ＥＰＤＣＣＨは、少なくとも一つの拡張ＣＣＥ（Enhanced ＣＣＥ:ＥＣＣＥ）を含む。類似の拡張がＰＣＦＩＣＨ送信（ＥＰＣＦＩＣＨ）又はＰＨＩＣＨ送信（ＥＰＨＩＣＨ）に適用されてもよい。
【００４７】
ＵＥには、上位階層シグナリングにより、例えば、ＥＰＤＣＣＨ、又はＥＰＣＦＩＣＨ、又はＥＰＨＩＣＨを含むことができる拡張ＣＣＨ（Enhanced ＣＣＨ:ＥＣＣＨ）の潜在的な送信のためのＰＲＢが構成されることができる。ＮｏｄｅＢが、前記ＵＥに対して正確なＤＬチャネル情報を有し、周波数ドメインスケジューリング（Frequency Domain Scheduling:ＦＤＳ）又はビームフォーミング（beam-forming）を行うことができる場合、多数のＤＬサブフレームシンボルを通じたＵＥへのＥＣＣＨ送信は、単一のＰＲＢに存在してもよく、又は正確なＤＬチャネル情報が有用ではない場合、又はＥＣＣＨが複数のＵＥを目的とする場合、前記多数のＤＬサブフレームシンボルを通じたＵＥへのＥＣＣＨ送信は、複数のＰＲＢに存在してもよい。単一のＰＲＢを通じたＥＣＣＨ送信は、「局所的（localized）」又は「インターリーブされていない（non-interleaved）」のように称される。複数のＰＲＢを通じたＥＣＣＨ送信は、「分散された（distributed）」又は「インターリーブされた（interleaved）」のように称される。
【００４８】
ＥＰＤＣＣＨ候補の探索空間についての正確な設計は、本発明の実施形態には重要ではなく、ＰＤＣＣＨ候補の探索空間の設計と同様な原則に従うと仮定されてもよい。従って、可能なＥＣＣＥアグリゲーションレベル（aggregation level）LEのための多数のＥＰＤＣＣＨ候補が存在することができ、ここで、例えば、
【００４９】
【数１３】
2018019440.tif 000015
【００５０】
は、局所的なＥＰＤＣＣＨの場合であり、
【００５１】
【数１４】
2018019440.tif 000016
【００５２】
は、分散されたＥＰＤＣＣＨの場合である。ＵＥは、各ＣＣＥアグリゲーションレベルのＣＰＤＣＣＨ候補を決定するために前述した機能と類似した、予め定められた機能に応じて探索空間で、各ＥＣＣＥアグリゲーションレベルのＥＰＤＣＣＨ候補を決定する。
【００５３】
図７は、局所的なＥＰＤＣＣＨ送信のためのＥＣＣＥの割当を示すダイアグラムである。
【００５４】
図７を参照すると、前記ＥＣＣＥの分割が、前記周波数ドメインに存在し、ＰＲＢは４個のＥＣＣＥ７１０、７２０、７３０、７４０を含み、ＵＥへのＥＰＤＣＣＨ送信は、１個のＥＣＣＥ、又は２個のＥＣＣＥ、又は４個のＥＣＣＥから構成されてもよい。コード分割多重化（Code Division Multiplexing:ＣＤＭ）及び周波数分割多重化（Frequency Division Multiplexing:ＦＤＭ）を用いる４個の直交ＤＭＲＳアンテナポートがある。ＤＭＲＳポート1 ７５０及びＤＭＲＳポート２  ７６０は、同一のＲＥを占有し、２個の連続したサブフレームシンボルを通じて、各々直交カーバリングコード（Orthogonal Covering Code:ＯＣＣ）{１、１}及びＯＣＣ{１、−１}の使用によって分離される。最初の２個のＤＭＲＳポートと異なるＲＥを占有するＤＭＲＳポート３  ７７０及びＤＭＲＳポート４  ７８０についても同様に適用される。また、各アンテナポートからのＤＭＲＳ送信は、スクランブリングシーケンスを用いてスクランブルされてもよい。局所的なＥＰＤＣＣＨの場合、ＵＥには、例えば、該ＵＥの識別子（Ｃ−ＲＮＴＩ）又は前記サブフレームの番号に基づいて、固有のＤＭＲＳポートが割り当てられ、又はＵＥについての前記ＤＭＲＳアンテナポートは、またＥＣＣＥ番号又はＥＰＤＣＣＨ候補に基づいてもよい。ＥＰＤＣＣＨ送信は、例えば、レガシーＣＣＨ７９０後の最初のサブフレームシンボルで始まると仮定し、もし存在すると、残りのサブフレームシンボルに拡大されると仮定する。
【００５５】
ＥＰＤＣＣＨ送信のスペクトル効率性を改善するために、従って関連されるオーバーヘッドを減少し、ＤＬ処理量を増加するために、異なるＵＥへのＥＰＤＣＣＨは、空間多重化を用いて送信されてもよい。これは、前記ＮｏｄｅＢが異なるプレコーディング（precoding）を、各ＥＰＤＣＣＨ送信に適用することにより、複数のＵＥ各々への複数のＥＰＤＣＣＨ送信のために、同一のリソースを機会的に用いることにより、有効（enable）とされ、各ＥＰＤＣＣＨ送信は、残りのＥＰＤＣＣＨ送信に対して、実質的に直交するようになり、従って前記相互干渉を実質的に抑制するようにする。空間多重化を有効とする場合、各チャネルの推定が正確に獲得することができ、前記残りのＥＰＤＣＣＨ送信に対する直交予測（projection）ができるように、各ＵＥに直交ＤＭＲＳを提供することが必須的である。このような方式で、かつ各ＥＰＤＣＣＨにより伝達されるＤＲＭＳが、各データと同一のプレコーディングを有するので、前記空間多重化の使用は、ＵＥに対してトランスペアレント（transparent）である。
【００５６】
図８は、同一のＥＣＣＥを用いて空間多重化を介した２個のＥＰＤＣＣＨの送信を示すダイアグラムである。
【００５７】
図８を参照すると、ＤＭＲＳポート１  ８１０と関連づけの第１のＥＰＤＣＣＨ送信、及びＤＭＲＳポート２  ８２０と関連付けの第２のＥＰＤＣＣＨ送信は、同一のＥＣＣＥ＃０及びＥＣＣＥ＃１  ８３０に該当するＲＥで多重化される。ＤＭＲＳポート３  ８６０及びＤＭＲＳポート４  ８７０は存在しても、又は存在しなくてもよい。前記ＤＭＲＳポート３  ８６０及びＤＭＲＳポート４  ８７０が存在していない場合、各ＲＥは、ＥＰＤＣＣＨ送信に用いられてもよい（又は空いている状態でもよい）。また、空間的に多重化されたＥＰＤＣＣＨ送信が、同一個数のＥＣＣＥを介して送信されると示されていたとしても、前記空間的に多重化されたＥＰＤＣＣＨ送信は、代わりに、異なる個数のＥＣＣＥを介して送信されてもよく、部分的にオーバーラップ（overlap）されてもよい。前記ＤＭＲＳと類似に、ＤＣＩフォーマットに含まれている制御情報は、スクランブリングシーケンスによりスクランブルされることができる。
【００５８】
各ＵＥについてのＰＤＳＣＨと関連付けのＥＰＤＣＣＨの送信に空間多重化を使用することにより、従来のＰＵＣＣＨリソースの決定の下で、各ＨＡＲＱ−ＡＣＫ信号送信に対して、ＰＵＣＣＨリソースの衝突が発生される。
【００５９】
【数１５】
2018019440.tif 000017
【００６０】
前述のＰＵＣＣＨリソースの衝突問題は、ＵＥにＨＡＲＱ−ＡＣＫ信号送信のためのアンテナ送信ダイバーシティ（antenna transmission diversity）が構成され、各アンテナに対して異なるＰＵＣＣＨリソースが要求される場合にさらに悪化される。２個のアンテナについて、従来の方法は、単一のアンテナの場合のように、第１のアンテナについての
【００６１】
【数１６】
2018019440.tif 000018
【００６２】
を獲得するものであり、第２のアンテナについては、
【００６３】
【数１７】
2018019440.tif 000019
【００６４】
を獲得するものである。ＰＲＢ別に４個のＥＣＣＥのような、ＰＲＢについて制限されたＥＣＣＥの個数により、送信機アンテナダイバーシティについての前記ＰＵＣＣＨリソースの衝突問題は、ＥＰＤＣＣＨ送信のための空間多重化の使用とは関係なく存在する。
【００６５】
空間多重化がＥＰＤＣＣＨ送信のために用いられるか、又は送信機アンテナダイバーシティが、ＰＤＳＣＨと関連付けのＥＰＤＣＣＨ検出に応じてＨＡＲＱ−ＡＣＫ信号送信のために用いられるかの可否とは関係なく、各ＰＵＣＣＨリソースのチャネル化（channelization）が定義される必要がある。ＥＰＤＣＣＨの検出に対応する、そしてＰＤＣＣＨの検出に対応するこれらのＰＵＣＣＨリソースは、共有又は分離されることができる。さらに、分散されたＥＰＤＣＣＨの検出に対応する、そして局所的なＥＰＤＣＣＨの検出に対応するこれらのＰＵＣＣＨリソースもまた、共有又は分離されることができる。一般に、前記スケジューリングが、ＰＤＣＣＨのみにより、又はＥＰＤＣＣＨのみにより行われるか、又は両方により行われるかの可否とは関係なく、サブフレーム別のＰＤＳＣＨの個数が顕著に異なっていないため、分離されたＰＵＣＣＨリソースは、ＵＬオーバーヘッドを増加させる。
【００６６】
【数１８】
2018019440.tif 000020
【００６７】
ａ）
【００６８】
【数１９】
2018019440.tif 000021
【００６９】
は、異なるＰＵＣＣＨリソースが、常にＰＤＣＣＨ検出及びＥＰＤＣＣＨ検出にそれぞれ相応するＨＡＲＱ−ＡＣＫ信号送信のために用いられるようにする。
【００７０】
ｂ）ＵＥは、ＰＣＦＩＣＨをデコードし、ＰＤＣＣＨ  ＣＣＥの総数を決定する（レガシーＤＬ制御領域の送信に用いられるＤＬサブフレームシンボルの個数を決め、ＣＲＳ ＲＥ及びＰＨＩＣＨ／ＰＣＦＩＣＨ ＲＥの個数を知ることにより）。ＥＰＤＣＣＨ検出に相応するＰＵＣＣＨリソースは、ＰＤＣＣＨ検出に相応するＰＵＣＣＨリソースの次に連続して番号付けられることができる。
【００７１】
c）ＰＵＣＣＨリソースの共有された集合が用いられ、前記ＮｏｄｅＢのスケジューラは、各ＨＡＲＱ−ＡＣＫ信号送信が、同一のＰＵＣＣＨリソースを用いないように、ＰＤＣＣＨ送信の場合、第１のＣＣＥを用いること、又はＥＰＤＣＣＨ送信の場合、第１のＥＣＣＥを用いることが制限される。
【発明の概要】
【発明が解決しようとする課題】
【００７２】
最初の二つのアプローチ方式は、サブフレーム別のＰＤＳＣＨの平均個数が、ＰＤＣＣＨ及びＥＰＤＣＣＨの両方を用いる場合に比べて、より大きくないことがあっても、ＰＤＳＣＨをスケジュールするために、ＰＤＣＣＨのみを用いる場合に比べて、ＰＵＣＣＨオーバーヘッドを増加させる。前記第１のアプローチ方式は、ＵＥがＰＣＦＩＣＨをリード（read）していない場合のように、ＰＵＣＣＨオーバーヘッドでより大きな増加を招き、ＰＤＣＣＨ送信について、最も大きな個数のＣＣＥを仮定する必要があり得る。第３のアプローチ方式は、ＰＵＣＣＨオーバーヘッドの増加を避けるものの、実際には実現可能でない前記スケジューラ動作に対して大幅な制限をおいてもよい。
【００７３】
したがって、前記関連付けのオーバーヘッドを最小化し、また複数のＨＡＲＱ−ＡＣＫ信号送信について同一のＰＵＣＣＨリソースの使用を避けながら、ＰＤＣＣＨと、分散されたＥＰＤＣＣＨと、各ＰＤＳＣＨと関連付けの局所的なＥＰＤＣＣＨの検出に応じて、ＨＡＲＱ−ＡＣＫ信号送信のためのＰＵＣＣＨリソースを定義する必要がある。
【００７４】
さらに、各ＰＤＳＣＨに関連付けの、同一の第１のＥＣＣＥを共有する各ＥＰＤＣＣＨの検出に応じて、異なるＵＥからのＨＡＲＱ−ＡＣＫ信号送信のために、異なるＰＵＣＣＨリソースを割り当てる必要がある。
【００７５】
また、ＰＤＳＣＨと関連付けのＥＰＤＣＣＨ検出に応じて、ＨＡＲＱ−ＡＣＫ信号の送信のためのアンテナダイバーシティを有効とする必要がある。
【課題を解決するための手段】
【００７６】
本発明は、少なくとも上記において言及した問題、及び／又は不利点を解消するためになされたものであり、少なくとも以下に説明する利点を提供する。したがって、本発明の一態様は、ＵＥがＰＵＣＣＨのリソースでＨＡＲＱ−ＡＣＫ信号を送信し、基地局（ＮｏｄｅＢ）がＰＵＣＣＨのリソースでＨＡＲＱ−ＡＣＫ信号を受信する方法及び装置を提供する。
【００７７】
本発明の一実施形態によれば、ＴＴＩにおいて基地局から送信されるＰＤＣＣＨの検出に応じて、ＰＵＣＣＨリソースでＨＡＲＱ−ＡＣＫ信号を送信する方法、及びＵＥ装置が提供される。ＵＥは、多数のＣＣＥを介してＰＤＣＣＨを検出する。前記ＰＤＣＣＨは、ＨＡＲＱ−ＡＣＫ  ＰＵＣＣＨリソースオフセット（HARQ‐ACK  PUCCH Resource Offset:ＨＰＲＯ）情報フィールドを含むＤＣＩフォーマットを伝達する。
【００７８】
ＵＥは、ＰＵＣＣＨリソースnPUCCHを、
【００７９】
【数２０】
2018019440.tif 000022
【００８０】
のように決め、ここで、nECCEは、ＰＤＣＣＨに含まれているＤＣＩフォーマットのために用いられる第１のＣＣＥであり、f(HPRO)は、ＨＰＲＯ情報フィールドに基づいた整数を提供するマッピング関数（mapping function）であり、
【００８１】
【数２１】
2018019440.tif 000023
【００８２】
は、上位階層シグナリングを介して、基地局からＵＥに割当てられたオフセットである。前記ＵＥは、決められたＰＵＣＣＨリソースでＨＡＲＱ−ＡＣＫ信号を送信する。前記ＮｏｄｅＢは、決められたＰＵＣＣＨリソースでＨＡＲＱ−ＡＣＫ信号を受信する。
【００８３】
本発明の他の実施形態によれば、ＴＴＩにおけるＰＤＣＣＨの検出に応じて、ＵＥから送信されるＨＡＲＱ−ＡＣＫ信号を、ＰＵＣＣＨで受信する方法及び基地局（ＮｏｄｅＢ）装置が提供される。ＮｏｄｅＢは、複数のＣＣＥを介してＰＤＣＣＨを送信する。ＰＤＣＣＨは、ＨＰＲＯ情報フィールドを含むＤＣＩフォーマットを伝達する。
【００８４】
【数２２】
2018019440.tif 000024
【００８５】
本発明のまた他の実施形態によれば、ＴＴＩにおける基地局から送信される第１のＰＤＣＣＨ又は第２のＰＤＣＣＨの検出に応じて、ＰＵＣＣＨでＨＡＲＱ−ＡＣＫ信号を送信する方法及びＵＥ装置が提供される。前記ＵＥは、第１タイプの第１のＣＣＥの第１番を介して、第１のＰＤＣＣＨを検出するか、又は第２タイプの第２番のＣＣＥを介して、第２のＰＤＣＣＨを検出する。第１のＰＤＣＣＨは、情報フィールドを含む第１のＤＣＩフォーマットを伝達する。第２のＰＤＣＣＨは、第１のＤＣＩフォーマットの全ての情報フィールドを含み、さらにＨＰＲＯ情報フィールドを含む第２のＤＣＩフォーマットを伝達する。
【００８６】
【数２３】
2018019440.tif 000025
【００８７】
前記ＵＥは、決められた第１又は第２のＰＵＣＣＨリソースにおいて前記ＨＡＲＱ−ＡＣＫ信号を送信する。
【００８８】
本発明のまた他の実施形態によれば、ＴＴＩにおける第１のＰＤＣＣＨ又は第２のＰＤＣＣＨの検出に応じて、ＵＥから送信されるＨＡＲＱ−ＡＣＫ信号を、ＰＵＣＣＨで受信する方法及び基地局（ＮｏｄｅＢ）装置が提供される。前記ＮｏｄｅＢは、第１タイプの第１のＣＣＥの第１番を介して、第１のＰＤＣＣＨを送信するか、又は第２タイプの第２番のＣＣＥを介して、第２のＰＤＣＣＨを送信する。第１のＰＤＣＣＨは、情報フィールドを含む第１のＤＣＩフォーマットを伝達する。第２のＰＤＣＣＨは、第１のＤＣＩフォーマットの全ての情報フィールドを含み、さらにＨＰＲＯ情報フィールドを含む第２のＤＣＩフォーマットを伝達する。前記ＮｏｄｅＢは、該ＮｏｄｅＢが第１のＰＤＣＣＨを送信する場合、第１のＰＵＣＣＨリソースnPUCCHを、nPUCCH=nCCE+NPUCCHのように決め、ここで、nCCEは、第１のＰＤＣＣＨに含まれている第１のＤＣＩフォーマットに用いられる第１のＣＣＥであり、NPUCCHは、第１のオフセットである。
【００８９】
【数２４】
2018019440.tif 000026
【００９０】
本発明のまた他の実施形態によれば、基地局から送信される第１のＰＤＣＣＨ又は第２のＰＤＣＣＨの検出に応じて、ＰＵＣＣＨでＨＡＲＱ−ＡＣＫ信号を送信する方法及びＵＥ装置が提供される。前記ＵＥは、前記基地局から第１のＰＤＣＣＨの受信のためのＰＲＢの第１集合を割り当て、第２のＰＤＣＣＨの受信のためのＰＲＢの第２集合を割り当てる上位階層シグナリングを受信する。ＰＲＢは、ＴＴＩの間、複数の隣接する周波数ＲＥを含む。第１のＰＤＣＣＨの受信は、ＰＲＢの第１集合に含まれている単一のＰＲＢにおいて局所的となり、第２のＰＤＣＣＨの受信は、ＰＲＢの第２集合に含まれている複数のＰＲＢを介して分散される。前記ＵＥは、多数の各ＣＣＥを介して第１のＰＤＣＣＨ又は第２のＰＤＣＣＨを検出する。第１のＰＤＣＣＨ又は第２のＰＤＣＣＨは、ＨＰＲＯ情報フィールドを含むＤＣＩフォーマットを伝達し、前記ＵＥは、単一のＰＲＢの各ＲＥで受信されるＤＭＲＳから獲得されるチャネルの推定を用いて、そして基地局アンテナポート番号（antenna port number）NDMRSに相応して単一のＰＲＢで第１のＰＤＣＣＨを検出する。前記ＵＥは、前記ＵＥが第１のＰＤＣＣＨを検出する場合、第１のＣＣＥのインデックス（index）と、NDMRSと、ＨＰＲＯ情報フィールドと、前記上位階層シグナリングを介して、前記基地局から前記ＵＥに割当てられた第１のオフセットの関数として第１のＰＵＣＣＨリソースを決定する。前記ＵＥは、該ＵＥが前記第２のＰＤＣＣＨを検出する場合、第１のＣＣＥのインデックスと、ＨＰＲＯ情報フィールドと、上位階層シグナリングとを介して、前記基地局から前記ＵＥに割当てられた第２のオフセットの関数として第２のＰＵＣＣＨリソースを決定する。前記ＵＥは、決められた第１又は第２のＰＵＣＣＨリソースにおいてＨＡＲＱ−ＡＣＫ信号を送信する。
【００９１】
本発明のまた他の実施形態によれば、第１のＰＤＣＣＨ又は第２のＰＤＣＣＨの検出に応じて、ＵＥから送信されるＨＡＲＱ−ＡＣＫ信号をＰＵＣＣＨで受信する方法及び基地局（ＮｏｄｅＢ）装置が提供される。前記ＮｏｄｅＢは、上位階層シグナリングを介して、ＵＥに第１のＰＤＣＣＨの送信のためのＰＲＢの第１集合と、第２のＰＤＣＣＨの送信のためのＰＲＢの第２集合を割り当てる。ＰＲＢは、送信ＴＴＩの間、複数の隣接する周波数ＲＥを含む。第１のＰＤＣＣＨの受信は、ＰＲＢの第１集合に含まれている単一のＰＲＢで局所的となり、第２のＰＤＣＣＨの受信は、ＰＲＢの第２集合に含まれている複数のＰＲＢに分散される。前記ＮｏｄｅＢは、複数の各ＣＣＥを介して、第１のＰＤＣＣＨ又は第２のＰＤＣＣＨを送信する。第１のＰＤＣＣＨ又は第２のＰＤＣＣＨは、ＨＰＲＯ情報フィールドを含むＤＣＩフォーマットを伝達する。前記ＮｏｄｅＢは、ＮｏｄｅＢアンテナポート番号NDMRSから単一のＰＲＢの各ＲＥにおいてＤＭＲＳを送信し、前記ＤＭＲＳは、第１のＰＤＣＣＨと関連付けられる。前記ＮｏｄｅＢは、前記ＮｏｄｅＢが第１のＰＤＣＣＨを送信する場合、第１のＣＣＥのインデックスと、NDMRSと、ＨＰＲＯ情報フィールドと、第１のオフセットの関数として第１のＰＵＣＣＨリソースを決定する。前記ＮｏｄｅＢは、該ＮｏｄｅＢが第２のＰＤＣＣＨを送信する場合、第１のＣＣＥのインデックスと、ＨＰＲＯ情報フィールドと、第２のオフセットの関数として第２のＰＵＣＣＨリソースを決定する。前記ＮｏｄｅＢは、決められた第１又は第２のＰＵＣＣＨリソースでＨＡＲＱ−ＡＣＫ信号を受信する。
【００９２】
本発明の上記及び他の態様、特徴、及び長所は、添付の図面と共に、以下の詳細な説明から明らかである。
【図面の簡単な説明】
【００９３】
【図１】ＤＬ  ＴＴＩの構造を示すダイアグラムである。
【図２】ＮｏｄｅＢ送信機におけるＤＣＩフォーマットのエンコーディング（encoding）プロセスを示すダイアグラムである。
【図３】ＵＥ受信機におけるＤＣＩフォーマットのデコーディング（decoding）プロセスを示すダイアグラムである。
【図４】各ＰＤＣＣＨにおけるＤＣＩフォーマットの送信プロセスを示すダイアグラムである。
【図５】ＺＣシーケンスのためのＵＥ送信機を示すブロック図である。
【図６】ＤＬサブフレームにおいてＥＰＤＣＣＨ送信を示すダイアグラムである。
【図７】局所的なＥＰＤＣＣＨ送信のためのＥＣＣＥの割当を示すダイアグラムである。
【図８】同一のＥＣＣＥを用いて、空間多重化（spatial multiplexing）を介した２個のＥＰＤＣＣＨの送信を示すダイアグラムである。
【図９】ＵＥによる局所的なＥＰＤＣＣＨ検出に応じた、ＨＡＲＱ−ＡＣＫ送信の非明示的なＰＵＣＣＨリソースの決定を示すダイアグラムである。
【図１０】本発明の一実施形態による、ＵＥが各ＰＤＣＣＨ、分散されたＥＰＤＣＣＨ、又は局所的なＥＰＤＣＣＨの検出に応じて、ＨＡＲＱ−ＡＣＫ信号の送信のためのＰＵＣＣＨリソースを決めるプロセスを示すダイアグラムである。
【図１１】本発明の一実施形態による、サブフレームにおいて分散されたＥＰＤＣＣＨ送信および局所的なＥＰＤＣＣＨ送信のために用いられるＰＲＢを指示するＥＰＣＦＩＣＨの使用を示すダイアグラムである。
【図１２】本発明の一実施形態による、ＵＥの場合に、ＥＰＣＦＩＣＨの検出値に基づき、サブフレームにおいて、ＥＰＤＣＣＨ送信用に構成されたＰＲＢが、ＥＰＤＣＣＨ送信のために用いられるか、又はＰＤＳＣＨ送信のために用いられるかを決めるプロセスを示すダイアグラムである。
【図１３】本発明の一実施形態による、ＥＰＤＣＣＨ検出に応じた、ＨＡＲＱ−ＡＣＫ信号送信のためのＰＵＣＣＨリソースの決定を示すダイアグラムである。
【図１４】本発明の一実施形態による、異なるＤＭＲＳアンテナポートと関連付けのＨＡＲＱ−ＡＣＫ送信のＰＵＣＣＨリソースを決めるための異なるオフセットの割当を示すダイアグラムである。
【図１５】本発明の一実施形態による、ＥＰＤＣＣＨの各検出に応じて、異なるＵＥからのＨＡＲＱ−ＡＣＫ信号送信のためのＰＵＣＣＨリソースを分離するＨＰＲＯの使用を示すダイアグラムである。
【図１６】本発明の一実施形態による、ＥＰＤＣＣＨ送信が局所的となるか、又は分散されるかに基づき、ＥＰＤＣＣＨ検出に応じて、ＨＡＲＱ−ＡＣＫ信号を送信するためのアンテナダイバーシティ（antenna diversity）の適応的使用を示すダイアグラムである。
【図１７】本発明の一実施形態による、各々の検出されたＥＰＤＣＣＨが、１個のＥＣＣＥ又は複数個のＥＣＣＥを用いて送信されたかの可否に基づいて、ＨＡＲＱ−ＡＣＫ信号のための送信機アンテナダイバーシティの適応的使用を示すダイアグラムである。
【図１８】本発明の一実施形態による、ＵＥがＥＰＤＣＣＨ検出に応じて、ＨＡＲＱ−ＡＣＫ信号送信のためのリソースを決める適応的機能性を示すダイアグラムである。
【発明を実施するための形態】
【００９４】
以下、添付の図面を参照して、本発明の実施態様について詳細に説明する。同一又は類似の構成要素には、これらの構成要素がその他の図面に示されていても、同一の又は類似の参照番号を付けてもよい。また、以下の詳細な説明において示される様々な特定の定義は、専ら本発明の一般的な理解を助けるために提供されるだけであって、そのような定義を使用せず、本発明が実現できることは、当該技術分野における技術者には明らかである。当該技術分野における公知の構成、又はプロセスの具体的な説明は、本発明の内容を曖昧にすることを避けるために省略してもよい。
【００９５】
また、本発明の実施形態が、ＯＦＤＭ及び離散フーリエ変換拡散ＯＦＤＭ（Discrete Fourier Transform Spread ＯＦＤＭ:ＤＦＴ−Ｓ−ＯＦＤＭ）を参照して後述されるが、本発明の実施形態は、一般に、全ての周波数分割多重化（Frequency Division Multiplexing:ＦＤＭ）送信にも適用可能である。
【００９６】
本発明の第１実施形態は、各ＰＤＳＣＨと関連付けのＰＤＣＣＨ及びＥＰＤＣＣＨの検出に応じて、ＰＵＣＣＨリソースを多重化する方法を考慮する。さらに、本発明の第１実施形態は、ＰＤＳＣＨと関連付けのＥＰＤＣＣＨの検出に応じて、ＨＡＲＱ−ＡＣＫ信号送信のためのＰＵＣＣＨリソースを決定し、ＰＲＢがサブフレームでＥＰＤＣＣＨを送信するために用いられるか、又はＰＤＳＣＨを送信するために用いられるかを決めるＵＥ装置を考慮する。
【００９７】
以下の説明において、ＥＣＣＥは、ＥＣＣＥが分散されたＥＰＤＣＣＨ（distributed ＥＰＤＣＣＨ）に割り当てられる場合、ＤＣＣＥに分類され、ＥＣＣＥが局所的なＥＰＤＣＣＨに割り当てられる場合、ＬＣＣＥに分類される。ＤＣＣＥは、ＬＣＣＥと同一のサイズを有してもよいし、又は有していなくてもよい。また、特記していない限り、本発明の実施形態について、ＥＰＤＣＣＨ送信は、常に各ＰＤＳＣＨ送信又はＳＰＳ ＰＤＳＣＨ送信の解除と関連付けられると仮定する。
【００９８】
第１のアプローチ方式において、ＵＥには、サブフレームにおいてＥＰＤＣＣＨを、ＮｏｄｅＢと通信している任意のＵＥへ送信するために、潜在的に使用できるＰＲＢの集合が、上位階層シグナリングを介してＮｏｄｅＢにより構成される。さらに、異なるＰＲＢは、分散されたＥＰＤＣＣＨ及び局所的なＥＰＤＣＣＨを送信するために使用することもでき、ＵＥは、サブフレームにおいて各ＥＰＤＣＣＨ送信のタイプのためのＰＲＢの別途の集合から構成されることができる。ＵＥには、またサブフレームにおいて前記ＵＥにＥＰＤＣＣＨを送信するために、潜在的に使用できるＰＲＢのサブ集合（ＰＲＢのＵＥ−特定の集合）が構成される。異なるＰＲＢが、分散されたＥＰＤＣＣＨ及び局所的なＥＰＤＣＣＨの送信に用いられる場合、ＰＲＢのサブ集合は、さらにＵＥに対して個別的に構成される（前記ＮｏｄｅＢから上位階層シグナリングにより）２個の各サブ集合に分けられる。簡略性のために、以下のような分析は、局所的なＥＰＤＣＣＨを考慮するが、同一のプロセスが分散されたＥＰＤＣＣＨについて適用される。
【００９９】
ＰＲＢ別に固定された個数のＬＣＣＥを仮定する場合、局所的なＥＰＤＣＣＨを送信するためのＰＲＢの集合、又はサブ集合の構成は、各々サブフレーム別のＬＣＣＥの集合、又はサブ集合の構成と同等である。前記ＰＲＢの集合において、ＬＣＣＥには順次に番号が付けられ、ＵＥは、前記ＬＣＣＥの集合における各ＬＣＣＥ番号に基づいて、また前記ＬＣＣＥのサブ集合における各ＬＣＣＥ番号、又は前記局所的なＥＰＤＣＣＨ送信のＰＲＢにおける各ＬＣＣＥ番号に基づいていないＥＰＤＣＣＨ検出に応じて、ＨＡＲＱ−ＡＣＫ送信のためのＰＵＣＣＨリソースを決定する。ＰＲＢの異なるサブ集合は、ＵＥに対して構成されることができ、ＰＲＢの全集合は、潜在の局所的なＥＰＤＣＣＨ送信のために、全てのＵＥを含む、任意のＵＥに対して構成されてもよい。
【０１００】
ＵＥへの局所的なＥＰＤＣＣＨ送信について、ＰＲＢの異なる集合を構成する理由の一つは、例えば、セル内のＵＥのような非利得ＵＥ（non-benefiting ＵＥ）についてのＰＲＢの他の集合ではなく、例えば、セル-エッジ（cell-edge）ＵＥのような利得ＵＥ（benefiting ＵＥ）についてのＰＲＢの一部集合において、プランニング（planning）を簡単にし、特にレガシー（legacy）ＵＥについてのＰＤＳＣＨスケジューリングに影響を与え得る過度なＤＬ  ＢＷフラグメンテーション（fragmentation）を避けるために、前記周波数ドメインで干渉協力を提供することである。局所的なＥＰＤＣＣＨ送信について、ＵＥにＰＲＢの異なる集合を構成する他の理由は、ＥＰＤＣＣＨが協力マルチポイント（Coordinated Multi-Point:CoMP）送信規則に従って、ＰＲＢの異なる集合において異なるポイントから送信されることを許容するためである。ＰＲＢの単一のサブ集合が、潜在的なＥＰＤＣＣＨ送信のためにＵＥに対して構成され、図７又は図８に示されているように、異なるスクランブリングが、ＰＲＢの異なるサブ集合に使用されてもよい（同一のスクランブリングは、ＰＲＢの単一のサブ集合に使用される）。
【０１０１】
局所的なＥＰＤＣＣＨ送信のためのＵＳ−ＤＳＳは、各々の構成されたＰＲＢのサブ集合に渡って制限され、各候補が単一のＰＲＢに含まれている制約と共に、前記レガシーＵＥ−ＤＳＳと類似の設計（例えば、数式１に示したような）に基づいていてもよい。ＵＥは、前記ＬＣＣＥにＰＲＢの構成されたサブ集合を介して連続的に番号が付けられることを考慮してもよく、ＰＲＢの構成された集合のうち、残りのＰＲＢにおけるＬＣＣＥは、前記ＵＥ−ＤＳＳを決めるために考慮されない。しかし、ＨＡＲＱ−ＡＣＫ信号送信のためのＰＵＣＣＨリソースを決めるために、ＵＥはＰＲＢの構成された集合において全てのＬＣＣＥを考慮してもよい。これは、各ＵＥ−ＤＳＳについて、同一の番号を有するＬＣＣＥがＰＲＢの異なる各構成されたサブ集合を有する各ＵＥへの局所的なＥＰＤＣＣＨ送信のために使用されても、異なるＰＵＣＣＨリソースが各ＨＡＲＱ−ＡＣＫ信号送信のために使用されることを保障する。
【０１０２】
図９は、ＵＥによる局所的なＥＰＤＣＣＨ検出に応じて、ＨＡＲＱ−ＡＣＫ送信のための非明示的なＰＵＣＣＨリソースの決定を示すダイアグラムである。
【０１０３】
図９を参照すると、ＰＲＢの集合は、基準ＵＥ、又は任意の他のＵＥへの潜在の局所的なＥＰＤＣＣＨ送信９１０、９１２、９１４、９１６のために、ＵＥに対して構成される。ＰＲＢのこのような集合から、ＰＲＢのサブ集合９１０、９１４は、前記ＵＥへの局所的なＥＰＤＣＣＨ送信のために前記ＵＥに対して構成される。さらに、ＰＲＢのサブ集合は、潜在の分散されたＥＰＤＣＣＨ送信９２０、９２２のために前記ＵＥに対して構成されてもよい。ＰＲＢ別のＬＣＣＥの個数は４である。ＥＰＤＣＣＨ検出に応じて、ＨＡＲＱ−ＡＣＫ信号送信のためのＰＵＣＣＨリソースを決めるために、ＰＲＢ９１０、９１４に含まれるＬＣＣＥのみが局所的なＥＰＤＣＣＨについてのＵＥ−ＤＳＳを構成するとしても、ＵＥは順次に総１６個のＬＣＣＥについてのＰＲＢの構成された集合９３０において全てのＬＣＣＥを考慮する。ＰＵＣＣＨリソース９４０についての非明示的なマッピングは、数式３に示した通りである。
【０１０４】
【数２５】
2018019440.tif 000027
【０１０５】
また、ＵＥはＥＰＤＣＣＨ送信のために、サブフレームで使用してもよいＰＲＢの集合のみを知っていることがあり、一部の他のＵＥへのＥＰＤＣＣＨ送信のために用いられる他の可能なＰＲＢの集合を知らないこともある。ＵＥは、前記ＵＥがサブフレームで各ＥＰＤＣＣＨ送信のために用いられるように、例えば、ＰＲＢ９１０、９１４などを知っているＰＲＢの各集合において、ＤＣＣＥについてのインデックス、又はＬＣＣＥについてのインデックスを知っている場合のみがある。ＬＣＣＥについて、インデックス付与（indexing）は、図９に示しているが、ＵＥに知られたＰＲＢの集合についてのみ制限できる（例えば、ＰＲＢ９１０において、ＬＣＣＥは、上りのＰＲＢの順に、第１に、０から３までインデックスが与えられ、ＰＲＢ９１４において、ＬＣＣＥは、第２に、８から１１までの代わりに、４から７までインデックスが与えられる）。サブフレームにおいてＵＥ−特定のＰＲＢの第１集合が、ＥＰＤＣＣＨを送信するために用いられる第１のＵＥと、サブフレームにおいてＵＥ−特定のＰＲＢの第２集合が、ＥＰＤＣＣＨを送信するために用いられる第２のＵＥとは、少なくとも部分的に、各々の分散されたＥＰＤＣＣＨ検出、又は局所的なＥＰＤＣＣＨ検出に応じて、ＨＡＲＱ−ＡＣＫ信号送信のためのＰＵＣＣＨリソースを導き出す場合、同一のＤＣＣＥインデックス又はＬＣＣＥインデックスを使用してもよい。その結果、一般に、好ましくないスケジューリングの制限なく、同一のＰＵＣＣＨリソースは、複数のＥＰＤＣＣＨ検出各々に応じて、複数のＨＡＲＱ−ＡＣＫ信号各々を送信するために、複数のＵＥにより導き出されることにより、衝突及び各ＨＡＲＱ−ＡＣＫ信号の信頼性のない受信を招き得る。
【０１０６】
【数２６】
2018019440.tif 000028
【０１０７】
図１０は、本発明の一実施形態による、ＵＥが各ＰＤＣＣＨ、分散されたＥＰＤＣＣＨ、又は局所的なＥＰＤＣＣＨの検出に応じて、ＨＡＲＱ−ＡＣＫ信号の送信のためのＰＵＣＣＨリソースを決定するプロセスを示すダイアグラムである。
【０１０８】
図１０を参照すると、ＰＤＣＣＨ  ＣＣＥｋ及び総Ｋ1個のＣＣＥ１０１０について、ＨＡＲＱ−ＡＣＫ信号送信のための各ＰＵＣＣＨリソースは、NPUCCH+k１０２０のように決められる。分散されたＥＰＤＣＣＨ  ＤＣＣＥｋ及び総Ｋ２個のＤＣＣＥ１０３０について、ＨＡＲＱ−ＡＣＫ信号送信のための各ＰＵＣＣＨリソースは、
【０１０９】
【数２７】
2018019440.tif 000029
【０１１０】
のように決められる。局所的なＥＰＤＣＣＨ  ＬＣＣＥｋ及び総Ｋ３個のＬＣＣＥ１０５０について、ＨＡＲＱ−ＡＣＫ信号送信のための各ＰＵＣＣＨリソースは、
【０１１１】
【数２８】
2018019440.tif 000030
【０１１２】
のように決められる。
【０１１３】
【数２９】
2018019440.tif 000031
【０１１４】
の値を制御することにより、ＮｏｄｅＢは、各ＰＵＣＣＨリソースの完全オーバーラップ（full overlap）を考慮して、前記関連のオーバーヘッドを最小化することができ、又は部分的なオーバーラップを考慮に入れることができ、又は各ＰＵＣＣＨリソースの完全分離を考慮して、いずれのスケジューラ制限を避けることができる。前者の場合において、専らNPUCCHのみがＵＥについて対して構成される必要がある。また、ＨＡＲＱ−ＡＣＫ信号送信のためのＰＵＣＣＨリソースを決めるための目的として、分散されたＥＰＤＣＣＨ及び局所的なＥＰＤＣＣＨについて構成されたＰＲＢの集合及びサブ集合を共に（jointly）考慮することが可能である。しかし、これは何のスケジューラの制限もなく、ＰＵＣＣＨリソースの衝突を常に避けることができるとしても、より大きなＰＵＣＣＨオーバーヘッドを招く。
【０１１５】
第２のアプローチ方式において、局所的なＥＰＤＣＣＨ送信又は分散されたＥＰＤＣＣＨ送信についてのＰＲＢの構成された集合は、例えば、毎サブフレームでＥＰＣＦＩＣＨの送信を介して、サブフレームの単位で調整されてもよい。ＰＲＢの構成された集合を調整することにより、ＰＲＢのＵＥ−特定の構成されたサブ集合もまた調整される。「通信システムにおける物理ダウンリンク制御チャネルの拡張（Extension of a Physical Downlink Control Channel in a Communication System）」という発明の名称として、ＵＳ特許出願第６１／５２２、３９９号に記載されているように、前記ＥＰＣＦＩＣＨ送信は、一部のサブフレームシンボルを通じて、一部の各ＲＥをＥＰＣＦＩＣＨ送信に割り当てることにより、分散されたＥＰＤＣＣＨ送信のために常に存在する、構成されたＰＲＢの最小集合に存在することができる。前記ＥＰＣＦＩＣＨは、分散されたＥＰＤＣＣＨ送信及び局所的なＥＰＤＣＣＨ送信の両方について、前記構成されたＰＲＢの情報を提供してもよく、又は２個の別途のＥＰＣＦＩＣＨは、それぞれ分散されたＥＰＤＣＣＨ送信及び局所的なＥＰＤＣＣＨ送信のために用いてもよい。
【０１１６】
図１１は、本発明の一実施形態による、サブフレームにおいて分散されたＥＰＤＣＣＨ送信及び局所的なＥＰＤＣＣＨ送信のために用いられるＰＲＢを指示するＥＰＣＦＩＣＨの使用を示すダイアグラムである。
【０１１７】
図１１を参照すると、ＰＲＢ１１１０、１１１２は、常に分散されたＥＰＤＣＣＨ送信のために存在し、ＥＰＣＦＩＣＨを伝達するＲＥを含んでもよい。上位階層は、局所的なＥＰＤＣＣＨ送信のために、前記ＵＥにＰＲＢ１１２０、１１２２、１１２４、１１２６の集合を構成し、分散されたＥＰＤＣＣＨ送信のために、前記ＵＥにＰＲＢ１１１４、１１１６の追加的な集合を構成する。これらの追加の構成されたＰＲＢが、サブフレームでＥＰＤＣＣＨ送信のために用いられることを、ＵＥが仮定するべきかの可否は、前記ＥＰＣＦＩＣＨ値により指示される。前記ＥＰＣＦＩＣＨをデコードする場合、ＵＥは、追加的なＰＲＢがサブフレームで分散されたＥＰＤＣＣＨ送信又は局所的なＥＰＤＣＣＨ送信のために用いられるか否かを決めることができる。２ビットからなる値を伝達するＥＰＣＦＩＣＨを仮定する場合、前記ＥＰＣＦＩＣＨ値が「１０」であるとき（１１３０）、ＰＲＢ１１２０、１１２２、１１２４、１１２６は、またＵＥが、前記各サブフレームで局所的なＥＰＤＣＣＨ送信のために用いられると仮定するように指示される。ＰＲＢ１１１４、１１１６は、分散されたＥＰＤＣＣＨ送信のために用いられないと指示され、ＵＥはＰＲＢ１１１４、１１１６が、ＰＤＳＣＨ送信１１４０のために用いられることを仮定することができる。
【０１１８】
前記ＥＰＣＦＩＣＨ値が「０１」である場合（１１５０）、専らＰＲＢ１１６０、１１６４が局所的なＥＰＤＣＣＨ送信のために用いられ、その反面に、潜在の局所的なＥＰＤＣＣＨ送信について構成されても、ＰＲＢ１１６２、１１６６は、これらが用いられないＥＰＣＦＩＣＨにより指示される。ＬＣＣＥの番号付けは、前記ＥＰＣＦＩＣＨ値が「１０」の場合と比べて変更されて、局所的なＥＰＤＣＣＨ送信についての「０１」のＥＰＣＦＩＣＨ値により指示されるＰＲＢのみを考慮する。「００」のＥＰＣＦＩＣＨ値は、専らＰＲＢ１１１０、１１１２が、各サブフレームでＥＰＤＣＣＨ送信のために用いられることを指示してもよい（専ら分散されたＥＰＤＣＣＨ送信のみがＰＲＢの最小集合に存在する）。「１１」のＥＰＣＦＩＣＨ値は、各サブフレームでＰＲＢ１１１０、１１１２、１１１４、１１１６が、分散されたＥＰＤＣＣＨ送信のために用いられ、ＰＲＢ１１６０、１１６４が、局所的なＥＰＤＣＣＨ送信のために用いられることを指示してもよい。
【０１１９】
サブフレーム別の分散されたＥＰＤＣＣＨ送信、及び局所的なＥＰＤＣＣＨ送信についてのＰＲＢの構成された集合を調整することにより、ＰＤＳＣＨと関連付けのＥＰＤＣＣＨ検出に相応するＰＵＣＣＨリソースは、またサブフレーム別に調整される。これは、前記関連付けのＰＵＣＣＨオーバーヘッドをさらに減少することから有利である。
【０１２０】
ＵＥへのＰＤＳＣＨ送信のために用いられるＰＲＢを指示するために求められるシグナリングオーバーヘッドを低減するために、このような指示が、ＲＢＧに存在することができ、ここで、ＲＢＧは複数のＰＲＢから構成され、割当タイプに基づき、ＰＤＳＣＨ送信のために、ＵＥには複数のＰＲＢの代わりに、複数のＲＢＧが割り当てられてもよい。ＲＢＧがＥＰＤＣＣＨ送信に構成されるＰＲＢを含む場合、ＵＥには基準ＲＢＧでＰＤＳＣＨ受信が指示され、前記ＵＥは基準ＰＲＢでＥＰＤＣＣＨを検出せず、前記ＵＥは、検出されたＥＰＣＦＩＣＨ値による指示に基づいて、ＰＤＳＣＨ受信について基準ＰＲＢを考慮するかの可否を決めてもよい。前記ＥＰＣＦＩＣＨ値が、各サブフレームでＥＰＤＣＣＨ送信のために基準ＰＲＢが用いられないと指示する場合、前記ＵＥは、ＰＤＳＣＨがまた、前記基準ＰＲＢで送信されると仮定する。ＥＰＣＦＩＣＨ値が、各サブフレームでＥＰＤＣＣＨ送信のために前記基準ＰＲＢが用いられると指示する場合、前記ＵＥは、ＰＤＳＣＨが前記基準ＰＲＢで送信されていなく、前記基準ＲＢＧの残りのＰＲＢで送信されるだけであると仮定する。
【０１２１】
図１２は、本発明の一実施形態による、ＵＥの場合に、ＥＰＣＦＩＣＨの検出値に基づき、サブフレームにおいて、ＥＰＤＣＣＨ送信用に構成されたＰＲＢが、ＥＰＤＣＣＨ送信のために用いられるか、又はＰＤＳＣＨ送信のために用いられるかを決めるプロセスを示すダイアグラムである。
【０１２２】
図１２を参照すると、ＲＢＧは３個のＰＲＢから構成され、各ＲＢＧ１２１０、１２２０は、少なくとも、可能なＵＥ−共通制御シグナリング（ＵＥ-common control signaling）を伝達する分散されたＥＰＤＣＣＨとＥＰＣＦＩＣＨとを送信するために用いられるＰＲＢの最小集合において、それぞれＰＲＢ１２１２、１２２２を含む。検出されたＥＰＣＦＩＣＨ値又は検出された分散されたＥＰＤＣＣＨと関係なく、ＵＥは、常にＲＢＧ１２１０又は１２２０のうちのいずれかを含むＰＤＳＣＨ受信からＰＲＢ１２１２、１２２２各々を廃棄すると仮定する。ＲＢＧ１２３０は、局所的なＥＰＤＣＣＨ送信用に構成され、各サブフレームで局所的な送信のために用いられる検出されたＥＰＣＦＩＣＨ値により指示されるＰＲＢ１２３２を含む。この指示に基づいて、ＲＢＧ１２３０でＰＤＳＣＨを受信するＵＥは、ＰＤＳＣＨを伝達する前記ＰＲＢからＰＲＢ１２３２を無視する。ＲＢＧ１２４０は、分散されたＥＰＤＣＣＨ送信用に構成されるが、各サブフレームで分散されたＥＰＤＣＣＨ送信のために用いられない検出されたＥＰＣＦＩＣＨ値により指示されるＰＲＢ１２４２を含む。この指示に基づいて、ＲＢＧ１２４０でＰＤＳＣＨを受信するＵＥは、ＰＤＳＣＨを伝達するＰＲＢにＰＲＢ１２４２を含む。それぞれＰＲＢ１２５２、１２６２を含み、検出されたＥＰＣＦＩＣＨ値に基づいて、分散されたＥＰＤＣＣＨ及び局所的なＥＰＤＣＣＨ用にそれぞれ構成されるＲＢＧ１２５０、１２６０について同様に適用され、ＵＥは前記ＲＢＧ１２５０、１２６０がＥＰＤＣＣＨを送信するために前記基準サブフレームで用いられないと決め、前記ＲＢＧ１２５０、１２６０がＰＤＳＣＨを伝達すると仮定する。
【０１２３】
本発明の第２の実施形態は、ＥＰＤＣＣＨ送信の空間多重化を考慮する間、ＵＥがＰＤＳＣＨ（又はＳＰＳ解除（release））と関連付けのＥＰＤＣＣＨの検出に応じて、ＨＡＲＱ−ＡＣＫ信号送信のためのＰＵＣＣＨリソースを決める方法及び装置を考慮する。簡略性のために、次のような解析は、局所的なＥＰＤＣＣＨを考慮するが、同一のプロセスが分散されたＥＰＤＣＣＨに適用される。
【０１２４】
第１のアプローチ方式において、空間的に多重化されたＥＰＤＣＣＨ送信が、それぞれ同一の第１のＬＣＣＥを用いる場合、ＨＡＲＱ−ＡＣＫ信号送信のためのＰＵＣＣＨリソースの衝突は、ＥＰＤＣＣＨの送信のためにのみ空間多重化の使用を制限することにより防止され、ここで、最大１個のＥＰＤＣＣＨが、ＰＤＳＣＨをスケジュールする（残りのＥＰＤＣＣＨは、例えば、ＰＵＳＣＨをスケジュールしてもよい）。しかし、多くのアプリケーション（application）において、ＤＬトラフィック（traffic）は、ＵＬトラフィックより顕著に大きく、以前の制限は、ＥＰＤＣＣＨ送信への空間多重化の適用から生ずる潜在的なオーバーヘッドの減少を顕著に弱化し得る。
【０１２５】
第２のアプローチ方式において、空間的に多重化されたＥＰＤＣＣＨ送信（各ＰＤＳＣＨと関連付けの）が、それぞれ同一の第１のＬＣＣＥを用いる場合、ＨＡＲＱ−ＡＣＫ信号送信のためのＰＵＣＣＨリソースの衝突は、非明示的なマッピングを用いる前記ＰＵＣＣＨリソースの決定において、各ＥＰＤＣＣＨ送信と関連したＤＭＲＳポートを組み合わせることにより防止される。そしてから、前記ＰＵＣＣＨリソースは、下記数式４に示されているように、決定することができる。
【０１２６】
【数３０】
2018019440.tif 000032
【０１２７】
図１３は、本発明の一実施形態による、ＥＰＤＣＣＨ検出に応じて、ＨＡＲＱ−ＡＣＫ信号送信のためのＰＵＣＣＨリソースの決定を示すダイアグラムである。
【０１２８】
図１３を参照すると、第１のＵＥへの第１のＥＰＤＣＣＨ送信のための第１のＬＣＣＥ及びＤＭＲＳポートは、それぞれ
【０１２９】
【数３１】
2018019440.tif 000033
【０１３０】
であり（１３１０）、これに反し、第２のＵＥへの第２のＥＰＤＣＣＨ送信のための第１のLＣＣＥ及びＤＭＲＳポートは、それぞれ
【０１３１】
【数３２】
2018019440.tif 000034
【０１３２】
である（１３２０）。第１のＵＥは、第１のＥＰＤＣＣＨの検出に応じて、ＨＡＲＱ−ＡＣＫ信号送信のための第１のＰＵＣＣＨリソースを
【０１３３】
【数３３】
2018019440.tif 000035
【０１３４】
のように決定する（１３３０）。第２のＵＥは、第２のＥＰＤＣＣＨの検出に応じて、ＨＡＲＱ−ＡＣＫ信号送信のための第２のＰＵＣＣＨリソースを、
【０１３５】
【数３４】
2018019440.tif 000036
【０１３６】
のように決定する（１３４０）。
【０１３７】
したがって、複数のＥＰＤＣＣＨが、これらの送信のための第１のＬＣＣＥと同一のＬＣＣＥを有してもよいとしても、１対１マッピングが、ＥＰＤＣＣＨ１３５０及び各ＰＵＣＣＨリソース１３６０の間に存在し、かつ衝突を回避することができる。
【０１３８】
前記第２のアプローチ方式によるＨＡＲＱ−ＡＣＫ信号送信ための前記非明示的なＰＵＣＣＨリソースの決定は、潜在的なＰＵＣＣＨリソースの衝突を避けるものの、一部のスケジューリング制限を招く。例えば、ＤＭＲＳポート１を用いるＥＰＤＣＣＨ送信を有する前記ＵＥが、ＰＵＣＣＨリソース
【０１３９】
【数３５】
2018019440.tif 000037
【０１４０】
を用いる場合、前記スケジューラは、このＰＵＣＣＨリソースが他のＨＡＲＱ−ＡＣＫ信号送信のために用いられないことを保障すべきである。これは、各ＥＰＤＣＣＨ送信が、１個のＬＣＣＥから構成される場合、次のＬＣＣＥは、ＰＤＳＣＨをスケジュールする他のＥＰＤＣＣＨ送信のために用いられないことを意味する。したがって、第２のアプローチ方式の機能性は、複数の空間的に多重化されたＥＰＤＣＣＨの送信が、少なくとも同一又はより多くの個数のＬＣＣＥから構成されることを必要とするか、又は前記複数の空間的に多重化されたＥＰＤＣＣＨの送信が単一のＬＣＣＥから構成される場合において、次のＬＣＣＥがＥＰＤＣＣＨ送信のために用いられないか、又はＰＵＳＣＨ送信をスケジュールするＥＰＤＣＣＨの送信のために用いられることを必要とする。
【０１４１】
第３のアプローチ方式において、空間的に多重化されたＥＰＤＣＣＨ送信が、それぞれ同一の第１のＬＣＣＥを用いる場合、ＨＡＲＱ−ＡＣＫ信号送信のためのＰＵＣＣＨリソースの衝突は、各ＤＭＲＳポートについて別途のＰＵＣＣＨオフセットを割り当てることにより避けられる。第２のアプローチ方式と関連付けの前述の制限が重要ではなくても、第２のアプローチ方式と関連付けの前述の制限は、一部の追加的なＰＵＣＣＨオーバーヘッドを犠牲して、第３のアプローチ方式により回避することができる。そして、アンテナポートNDMRSと関連付けのＨＡＲＱ−ＡＣＫ信号送信のためのＰＵＣＣＨリソースは、下記数式５に示されているように獲得することができる。
【０１４２】
【数３６】
2018019440.tif 000038
【０１４３】
図１４は、本発明の一実施形態による、異なるＤＭＲＳアンテナポートと関連付けのＨＡＲＱ−ＡＣＫ送信のためのＰＵＣＣＨリソースを決めるための異なるオフセットの割当を示すダイアグラムである。
【０１４４】
【数３７】
2018019440.tif 000039
【０１４５】
したがって、複数のＥＰＤＣＣＨが、これらの送信のための第１のＬＣＣＥと同一のＬＣＣＥを有してもよいとしても、１対１マッピングがＥＰＤＣＣＨ１４５０及び各ＰＵＣＣＨリソース１４６０の間に存在し、かつ衝突を避けることができる。
【０１４６】
第４のアプローチ方式において、空間的に多重化されたＥＰＤＣＣＨ送信がそれぞれ同一の第１のＬＣＣＥを用いる場合、ＨＡＲＱ−ＡＣＫ信号送信のためのＰＵＣＣＨリソースの衝突は、ＨＡＲＱ−ＡＣＫ  ＰＵＣＣＨリソースオフセットフィールドを、各ＰＤＳＣＨをスケジュールするＥＰＤＣＣＨにより伝達される前記ＤＣＩフォーマットに含ませることにより避けられる。前記ＨＰＲＯは、名目上の（nominal）ＨＡＲＱ−ＡＣＫリソースに対して、ＰＵＣＣＨ  ＨＡＲＱ−ＡＣＫリソースにインデックスを付与する機能をする。ＨＡＲＱ−ＡＣＫ  ＰＵＣＣＨリソースインデックス（HARQ‐ACKPUCCH Resource Index:ＨＰＲＩ）の類似した原則が、異なる用途のために、「複数の割当の受信に対応する肯定応答信号のためのリソースインデックス付与（RESOURCE INDEXING FOR ACKNOWLEDGEMENT SIGNALS IN RESPONSE TO RECEPTIONS OF MULTIPLE ASSIGNMENTS）」という発明の名称として、米国特許出願第１２／９８６、６７５号に記載されている。続いて説明されるように、本発明の実施形態は、ＰＵＣＣＨリソースの予め定められた、構成された集合からのＰＵＣＣＨリソースの直接的な指示子より、ＵＥにより動的に決められるＰＵＣＣＨリソースについてのオフセットとして動作する各ＤＣＩフォーマットに含まれているＨＰＲＯフィールドを考慮する。一般に、ＥＰＤＣＣＨの送信は局所的となるか（同一の第１のＬＣＣＥを共有）、又は分散されているか（同一の第１のＤＣＣＥを共有）、又は局所的及び分散されることができる（各々同一の第１のＬＣＣＥと同一の第１のＤＣＣＥを共有）。
【０１４７】
図１５は、本発明の一実施形態による、ＥＰＤＣＣＨの各検出に応じて、異なるＵＥからのＨＡＲＱ−ＡＣＫ信号送信のためのＰＵＣＣＨリソースを分離するＨＰＲＯの使用を示すダイアグラムである。
【０１４８】
図１５を参照すると、ＨＰＲＯ１５１０は、２個のビットから構成され、例えば、「００」は、−２にマッピングされ、「０１」は−１にマッピングされ、「１０」は０にマッピングされ、「１１」は１にマッピングされる。第１のＥＰＤＣＣＨにより第１のＵＥに伝達されるＤＣＩフォーマットは、前記ＨＰＲＯフィールド１５２０についてのＨＰＲＯ（１）の値を指示する。第２のＥＰＤＣＣＨにより第２のＵＥに伝達されるＤＣＩフォーマットは、前記ＨＰＲＯフィールド１５３０についてのＨＰＲＯ（２）の値を指示する。
【０１４９】
【数３８】
2018019440.tif 000040
【０１５０】
したがって、複数のＥＰＤＣＣＨが、第１のＬＣＣＥと同一のＬＣＣＥを有してもよいとしても、１対１マッピングがＥＰＤＣＣＨ１５６０及び各ＰＵＣＣＨリソース１５７０の間に存在し、衝突が避けることができる。
【０１５１】
ＰＤＳＣＨをスケジュールするＥＰＤＣＣＨ検出に応じて、ＨＡＲＱ−ＡＣＫ信号送信のためのＰＵＣＣＨリソースは、
【０１５２】
【数３９】
2018019440.tif 000041
【０１５３】
のように決められることができ、ここで、nECCEは、各ＥＰＤＣＣＨの最も低いインデックスを有するＥＣＣＥであり（分散されたＥＰＤＣＣＨについてはnECCE=nDCCE、局所的なＥＰＤＣＣＨについてはnECCE=nLCCE）、ＨＰＲＯは、各ＥＰＤＣＣＨにより伝達されるＤＣＩフォーマットに含まれている二進ＨＰＲＯフィールドのマッピングされた整数値であり（例えば、００、０１、１０、１１の二進のＨＰＲＯ値は、それぞれ−１、０、１、２の整数ＨＰＲＯ値にマッピングされてもよい）、
【０１５４】
【数４０】
2018019440.tif 000042
【０１５５】
は、ＰＲＢ集合別のＵＥ−特定のＰＵＣＣＨリソースオフセットである。
【０１５６】
【数４１】
2018019440.tif 000043
【０１５７】
【数４２】
2018019440.tif 000044
【０１５８】
従って、ＰＤＣＣＨ送信、又は分散されたＥＰＤＣＣＨ送信、又はＥＰＤＣＣＨ送信に相応するＨＡＲＱ−ＡＣＫ送信のためにオーバーラップされるＰＵＣＣＨリソースの量は、
【０１５９】
【数４３】
2018019440.tif 000045
【０１６０】
を介して制御されることができ、これに反し、オーバーラッピングが発生する場合、ＰＵＣＣＨリソースの衝突は、ＨＰＲＯフィールドを介して解決することができる。
【０１６１】
ＰＤＳＣＨをスケジュールするＤＣＩフォーマットにおいて、ＨＰＲＯフィールドの使用は、同一の第１のＬＣＣＥを共有する局所的なＥＰＤＣＣＨの空間多重化の使用について説明されていても、その使用は、同一の第１のＤＣＣＥを共有する分散されたＥＰＤＣＣＨについて同一の方式、及び各々第１のＬＣＣＥ及びＤＣＣＥについて同一の番号を有する局所的なＥＰＤＣＣＨ及び分散されたＥＰＤＣＣＨついて同一の方式で拡張されることができる。また、ＨＰＲＯによりレガシーＰＵＣＣＨリソースにインデックスが付与されることができないとしても、前記ＨＰＲＯの使用は、分散されたＥＰＤＣＣＨ検出又は局所的なＥＰＤＣＣＨ検出に対応するリソースに適合にインデックスを与えることにより、ＰＤＣＣＨ検出及び分散されたＥＰＤＣＣＨ検出又は局所的なＥＰＤＣＣＨ検出に応じて、ＨＡＲＱ−ＡＣＫ信号送信のためのＰＵＣＣＨリソースの衝突を回避するために、依然として適用することができる。このような方式で、最小のスケジューラ制限を有することで、衝突を回避しながら、ＰＤＣＣＨ検出と、分散されたＥＰＤＣＣＨ検出及び局所的なＥＰＤＣＣＨ検出に応じて、ＨＡＲＱ−ＡＣＫ信号送信のためのＰＵＣＣＨリソースの完全オーバーラップ又は部分オーバーラップが支援されることができる。
【０１６２】
本発明の第３の実施形態は、ＵＥがＰＤＳＣＨと関連付けのＥＰＤＣＣＨの検出に応じて、送信機アンテナダイバーシティを用いて、ＰＵＣＣＨでＨＡＲＱ−ＡＣＫ信号を送信する方法及び装置を考慮する。
【０１６３】
ＵＥには、ＮｏｄｅＢによりＰＵＣＣＨでＨＡＲＱ−ＡＣＫ信号送信についての送信機アンテナダイバーシティ（transmitter antenna diversity）を用いるか否かの可否が構成される。ＰＲＢで局所的なＥＰＤＣＣＨ送信は、ビームフォーミング又はＦＤＳから利得が生じるため、同一のＤＣＩフォーマットの分散されたＥＰＤＣＣＨ送信のためのＤＣＣＥより少ないＬＣＣＥを求める可能性がある。その結果、単一のＬＣＣＥを通じた局所的なＥＰＤＣＣＨ送信は、一般に、より高いＳＩＮＲを経験し、従って、高いコーディングレート又は変調次数を持って送信され、より少ない個数のリソースを必要とすることができるため、同一のＤＣＩフォーマットについて、単一のＬＣＣＥを通じた局所的なＥＰＤＣＣＨ送信が、単一のＤＣＣＥを通じた分散されたＥＰＤＣＣＨ送信よりもっと可能性がある。
【０１６４】
単一のＬＣＣＥを通じた第１の局所的なＥＰＤＣＣＨ送信の可能性の増加は、従来の方法が、第２のアンテナについてのＰＵＣＣＨを導き出すのに用いられる場合、各ＨＡＲＱ−ＡＣＫ信号についての送信機アンテナダイバーシティの使用に強力な制限を置くことになる。これは、このような第２のリソースが、第１のＥＰＤＣＣＨ送信の第１のＬＣＣＥの後、次のＬＣＣＥに相応するためであり、次のＬＣＣＥは、第２のＥＰＤＣＣＨ送信の第１のＬＣＣＥとなる可能性がある。そしてから、ＰＵＣＣＨリソースの衝突は、第２のＥＰＤＣＣＨがＰＤＳＣＨと関連する限り、発生する。しかし、これは、ＤＬトラフィックが一般に、ＵＬトラフィックより大きく、ＮｏｄｅＢが局所的なＥＰＤＣＣＨを送信するために必要とするチャネル状態情報は、ＰＤＳＣＨ送信とは関連付けられ、ＰＵＳＣＨ送信とは関連づけられていないため、多くの場合不可能である。
【０１６５】
第１のアプローチ方式において、送信機アンテナダイバーシティを用いるように構成されたＵＥからのＨＡＲＱ−ＡＣＫ信号についての前記送信機アンテナダイバーシティは、前記検出されたＥＰＤＣＣＨが、分散されたＥＰＤＣＣＨであるか、又は局所的なＥＰＤＣＣＨであるかの可否に基づいて、適応的に適用される。前記検出されたＥＰＤＣＣＨが、分散されたＥＰＤＣＣＨの場合において、ＵＥは送信機アンテナダイバーシティを用いて、ＨＡＲＱ−ＡＣＫ信号を送信する。前記検出されたＥＰＤＣＣＨが局所的なＥＰＤＣＣＨである場合において、ＵＥは単一の送信機アンテナ（予め定められた又はＵＥが選択した）を用いて、ＨＡＲＱ−ＡＣＫ信号を送信する。
【０１６６】
図１６は、本発明の一実施形態による、ＥＰＤＣＣＨ送信が局所的であるか又は分散されるかに基づいて、ＥＰＤＣＣＨ検出に応じてＨＡＲＱ−ＡＣＫ信号を送信するためのアンテナダイバーシティの適応的使用を示すダイアグラムである。
【０１６７】
図１６を参照すると、ＵＥは、ステップ１６１０において、ＰＤＳＣＨと関連付けのＥＰＤＣＣＨを検出する。ステップ１６２０において、ＥＰＤＣＣＨ送信が分散されたものであるかの可否が決められる。ＥＰＤＣＣＨ送信が分散されたものである場合、前記ＵＥはステップ１６３０において、送信機アンテナダイバーシティを用いて各ＨＡＲＱ−ＡＣＫ信号を送信する。第１の送信機アンテナについてのＰＵＣＣＨリソースは、ＥＰＤＣＣＨの第１のＤＣＣＥの番号nDCCEから決められる。第２のアンテナについてのＰＵＣＣＨリソースは、例えば、数式１に示されているようなnDCCE+1から決められるか、又は本発明の第１の実施形態、又は第２の実施形態について、前述したアプローチ方式のうちの一つのように決められ、ここで、単一のＰＵＣＣＨリソースの代わりに、ＰＵＣＣＨリソースのペアが考慮される。前記ＥＰＤＣＣＨ送信が局所的なことである場合、又は分散されていないことである場合、前記ＵＥは、ステップ１６４０で単一の送信機アンテナを用いて各ＨＡＲＱ−ＡＣＫ信号を送信する。
【０１６８】
第２のアプローチ方式において、ＨＡＲＱ−ＡＣＫ信号についての送信機アンテナダイバーシティは、検出されたＥＰＤＣＣＨが局所的なＥＰＤＣＣＨの場合には、各ＥＣＣＥアグリゲーションレベル（aggregation level）に基づいて適応的に適用される。専ら１個のＬＣＣＥが、検出されたＥＰＤＣＣＨの送信のために用いられる場合、各ＨＡＲＱ−ＡＣＫ信号について、送信機アンテナダイバーシティは適用されない。複数のＬＣＣＥが、検出されたＥＰＤＣＣＨの送信のために用いられる場合、各ＨＡＲＱ−ＡＣＫ信号について、送信機アンテナダイバーシティが適用される。検出された分散されたＥＰＤＣＣＨについては、各ＨＡＲＱ−ＡＣＫ信号に対して、各ＤＣＣＥアグリゲーションレベルに対する別途の制限なく、送信機アンテナダイバーシティが常に適用される（構成される場合）。
【０１６９】
図１７は、本発明の一実施形態による、各々の検出されたＥＰＤＣＣＨが、１個のＥＣＣＥ又は複数個のＥＣＣＥを用いて送信されたかの可否に基づいて、ＨＡＲＱ−ＡＣＫ信号に対する送信機アンテナダイバーシティの適応的使用を示すダイアグラムである。
【０１７０】
図１７を参照すると、ＵＥはステップ１７１０において、ＰＤＳＣＨと関連付けの局所的なＥＰＤＣＣＨを検出する。ステップ１７２０において、前記ＥＰＤＣＣＨ送信が、複数個のＬＣＣＥから構成されるかの可否が決められる。前記ＥＰＤＣＣＨ送信が、複数個のＬＣＣＥから構成される場合、前記ＵＥは、ステップ１７３０で送信機アンテナダイバーシティを用いて、各ＨＡＲＱ−ＡＣＫ信号を送信する。第１の送信機アンテナについてのＰＵＣＣＨリソースは、前記ＥＰＤＣＣＨの第１のＬＣＣＥの番号nLCCEから決められる。第２のアンテナについてのＰＵＣＣＨリソースは、nLCCS+1から決められる。前記ＥＰＤＣＣＨ送信が単一のＬＣＣＥから構成される場合、前記ＵＥは、ステップ１７４０で単一の送信機アンテナを用いて、各ＨＡＲＱ−ＡＣＫ信号を送信する。
【０１７１】
ＰＤＣＣＨ検出と、分散されたＥＰＤＣＣＨ検出と、局所的なＥＰＤＣＣＨ検出に応じて、ＨＡＲＱ−ＡＣＫ信号送信のＰＵＣＣＨリソースが、少なくとも部分的に共有される場合、送信機アンテナダイバーシティが用いられる際、リソース衝突をより回避し難くなり得る。しかし、ＥＰＤＣＣＨにより伝達されるＤＣＩフォーマットに含まれているＨＰＲＯフィールドの使用は、送信機アンテナダイバーシティを用いて、ＨＡＲＱ−ＡＣＫ信号を送信する場合、ＰＵＣＣＨリソースの衝突を回避するために、スケジューラ制限を容易に緩和することができる。その後、前記ＵＥは、第２のアンテナからＨＡＲＱ−ＡＣＫ信号送信についてのＰＵＣＣＨリソースを
【０１７２】
【数４４】
2018019440.tif 000046
【０１７３】
のように決定する。
【０１７４】
局所的なＥＰＤＣＣＨの場合において、前記ＬＣＣＥアグリゲーションレベルに加えて、ＤＭＲＳアンテナポートがまた、ＨＡＲＱ−ＡＣＫ信号送信のための送信機アンテナダイバーシティ（構成される場合）の適応的使用の時、考慮され得る。前記ＤＭＲＳアンテナポートが、第１のＤＭＲＳアンテナポートではない場合、前記ＤＭＲＳアンテナポートは、空間ＥＰＤＣＣＨ多重化の使用と関連付けられてもよい。この場合において、ＰＵＣＣＨリソース衝突確率の増加を防止するために、空間ＥＰＤＣＣＨ多重化の使用が、ＵＥに対してトランスペアレント（transparent）であると仮定するので、各ＥＰＤＣＣＨについてＤＭＲＳアンテナポートが、第１のＤＭＲＳアンテナポートではない場合、ＨＡＲＱ−ＡＣＫシグナリングの送信機アンテナダイバーシティは適用されなくてもよい。
【０１７５】
さらに、ＵＥがＨＡＲＱ−ＡＣＫシグナリングについて送信機アンテナダイバーシティ（構成される場合）を適用することであるかの可否に関して、ＵＥによる動的な決定は、各ＥＰＤＣＣＨの送信のために用いられる変調方式に基づくことができる。ＱＡＭ１６が用いられる場合、ＵＥは良好のリンク品質を有し、ＮｏｄｅＢに対して小さい経路損失を有すると仮定されることができ、各ＨＡＲＱ−ＡＣＫ信号について送信機アンテナダイバーシティを適用しなくてもよい。各ＥＰＤＣＣＨを送信するために、ＱＰＳＫが用いられる場合、それと逆に適用される。
【０１７６】
ＵＥがＨＡＲＱ−ＡＣＫシグナリングについて送信機アンテナダイバーシティ（構成される場合）を適用すべきであるか否かの動的な指示は、ＰＤＳＣＨと関連付けの各ＥＰＤＣＣＨにより伝達されるＤＣＩフォーマットに含まれている各1-ビットフィールド（例えば、送信機アンテナダイバーシティを指示する０と、単一の送信機アンテナを指示する１を使用）の包含を介して支援されることができる。
【０１７７】
本発明の第４の実施形態は、ＥＰＤＣＣＨタイプ（分散された又は局所的な）について可能なＥＣＣＥアグリゲーションレベルが、サブフレーム別に変更され、特に１個のＥＣＣＥのアグリゲーションレベルの存在が、サブフレーム別に変更される場合、ＥＰＤＣＣＨ検出に応じて、ＨＡＲＱ−ＡＣＫ信号送信のためのＰＵＣＣＨリソースをＵＥが決定する方法及び装置を考慮する。
【０１７８】
ＥＰＤＣＣＨ送信のために使用してもよい前記ＥＣＣＥアグリゲーションレベルは、サブフレームでＵＥに割り当てられる各ＰＲＢにおけるＥＰＤＣＣＨ送信に有用なＲＥの各可変数に調整するために、サブフレーム別に変更されてもよい。例えば、図４において、ＰＲＢで局所的なＥＰＤＣＣＨ送信に有用なＲＥは、最初の３個のＯＦＤＭシンボルにおいて、従来のＤＬ制御領域により用いられるＲＥ、及び多様なＲＳタイプ（ＤＭＲＳ、ＣＲＳなど）を送信するために用いられるＲＥを排除する。したがって、図４において、ＰＲＢで局所的なＥＰＤＣＣＨ送信に有用なＲＥの総数は、９６と同等であり、ＬＣＣＥサイズは、ＰＲＢで４個のＬＣＣＥについての２４個のＲＥと同等である。ＲＥ別に２ビットを伝達するＱＰＳＫ変調と、４０ビットを超過するＤＣＩフォーマットの一般的なペイロード（payload）を仮定する場合、１個のＬＣＣＥのアグリゲーションレベルを有するＤＣＩフォーマット送信について得られるコードレートは、少なくとも約０.８３（４０／（２＊２４））であり、この値は、一般に、ＤＣＩフォーマットを信頼性よく伝達するには高過ぎる。これとは逆に、専ら１個のＯＦＤＭシンボルが、従来のＤＬ制御領域により用いられる場合、ＰＲＢで局所的なＥＰＤＣＣＨ送信に有用なＲＥの総数は、１２０と同等であり、ＬＣＣＥサイズは、ＰＲＢ別に４個のＬＣＣＥについて３０個のＲＥである。このような場合において、１個のＬＣＣＥのアグリゲーションレベルを有する、少なくとも４０ビットから構成されるＤＣＩフォーマットを送信するために得られるコードレートは、少なくとも約０．６７（４０／（２＊３０））であり、前記ＤＣＩフォーマット送信は、少なくとも適正なＤＬ  ＳＩＮＲを経験するＵＥに信頼性よく伝達されることができる。したがって、ＰＲＢ別のＲＥの個数が臨界値より大きいか、又は小さいかに基づいて、各ＥＰＤＣＣＨ送信に用いられるＥＣＣＥアグリゲーションレベルが変わることができる。ＮｏｄｅＢからＥＰＤＣＣＨを送信し、ＵＥでＥＰＤＣＣＨを検出する場合、ＰＲＢ別のＲＥの可変数を考慮するために、サブフレーム別に支援されるＥＣＣＥアグリゲーションレベルを変更するこのようなアプローチ方式は、「通信システムにおける物理ダウンリンク制御チャネルの探索プロセス（Search Process for Physical Downlink Control Channels in a Communication System）」という発明の名称を有するＵＳ特許出願第６１／５５２、８４６号に記載されている。
【０１７９】
各ＥＰＤＣＣＨ検出に応じて、ＵＥからＨＡＲＱ−ＡＣＫ信号送信のためのリソースを決定することについて、サブフレーム別にＥＣＣＥアグリゲーションレベルにおいて前述した可変性が考慮されて、ＨＡＲＱ−ＡＣＫ信号を送信するための各リソースオーバーヘッドを減少することができる。１個のＥＣＣＥの最小アグリゲーションレベルが、ＮｏｄｅＢからＵＥにＥＰＤＣＣＨを送信するためにサブフレームで用いられ得る場合、ＵＥからのＨＡＲＱ−ＡＣＫ信号送信のための各リソースは、例えば、数式３に示したように、各ＥＰＤＣＣＨの第１の（最も低い）ＥＣＣＥに基づくことができる。しかし、２個のＥＣＣＥの最小アグリゲーションレベルのみが、ＮｏｄｅＢからＵＥにＥＰＤＣＣＨを送信するためにサブフレームで用いられ得る場合、各ＥＰＤＣＣＨの第１の（最も低い）ＥＣＣＥからＵＥからのＨＡＲＱ−ＡＣＫ信号送信のための各リソースを決めることは、少なくともＨＡＲＱ−ＡＣＫ信号送信のための全ての他のリソースが用いられない状態で保持されることであるため、不要なＵＬオーバーヘッドを招く。この場合、ＨＡＲＱ−ＡＣＫ信号送信のリソース
【０１８０】
【数４５】
2018019440.tif 000047
【０１８１】
は、下記数式６に基づいて決定することができる。
【０１８２】
【数４６】
2018019440.tif 000048
【０１８３】
図１８は、本発明の一実施形態による、ＵＥがＥＰＤＣＣＨ検出に応じて、ＨＡＲＱ−ＡＣＫ信号送信のためのリソースを決める適応的機能性を示すダイアグラムである。
【０１８４】
図１８を参照すると、ステップ１８１０において、各ＥＰＤＣＣＨを介したＵＥについてのＰＤＳＣＨスケジューリングと関連付けのＤＣＩフォーマットは、１個のＥＣＣＥのアグリゲーションレベルを用いて送信される（各サブフレームのＰＲＢにおいて、ＥＰＤＣＣＨ送信に有用な複数のＲＥからＵＥにより決定されるように）。ステップ１８２０において、ＵＥは、第１の（最も低い）ＥＣＣＥインデックスnECCEを用いて、各ＨＡＲＱ−ＡＣＫ信号送信のリソースを決定する。これとは反対に、ステップ１８３０において、同一のＤＣＩフォーマットは、少なくとも２個のＥＣＣＥのアグリゲーションレベルを用いて、ＥＰＤＣＣＨを介して専ら送信される。
【０１８５】
【数４７】
2018019440.tif 000049
【０１８６】
一方、本発明の詳細な説明では、具体的な実施形態について説明したが、後述の特許請求の範囲のみならず、この特許請求の範囲と均等なものにより定められるように本発明の精神及び範囲から逸脱しない範囲内で、様々な変形が可能であることは、当業者に明らかである。
【符号の説明】
【０１８７】
１１０  サブフレーム
１２０  スロット
１５０  ＣＲＳ  ＲＥ
２１０，３６０  ＤＣＩフォーマットビット
２２０  ＣＲＣ演算ユニット
２４０，３８０  Ｃ−ＲＮＴＩマスク
２５０  ＣＲＣ付加ユニット
２６０  チャネルコーディングユニット
２７０，３３０  レートマッチングユニット
２８０  インターリービング&変調ユニット
２９０，３１０  制御信号
３２０  復調＆デインターリビングユニット
３４０  チャネルデコーダー
３５０  ＣＲＣ抽出ユニット
３９０  ＣＲＣテストユニット
５１０  ＺＣシーケンスユニット
５２０  サブキャリアマッピングユニット
５２５  ＲＥ選択ユニット
５３０  ＩＦＦＴユニット
５４０  ＣＳユニット
５５０  スクランブリングユニット
５６０  ＣＰ挿入ユニット
５７０  時間ウィンドウユニット
５８０  電力増幅器
【図１】
2018019440.tif 000050
【図２】
2018019440.tif 000051
【図３】
2018019440.tif 000052
【図４】
2018019440.tif 000053
【図５】
2018019440.tif 000054
【図６】
2018019440.tif 000055
【図７】
2018019440.tif 000056
【図８】
2018019440.tif 000057
【図９】
2018019440.tif 000058
【図１０】
2018019440.tif 000059
【図１１】
2018019440.tif 000060
【図１２】
2018019440.tif 000061
【図１３】
2018019440.tif 000062
【図１４】
2018019440.tif 000063
【図１５】
2018019440.tif 000064
【図１６】
2018019440.tif 000065
【図１７】
2018019440.tif 000066
【図１８】
2018019440.tif 000067